(57)【要約】  無線物理層プロトコルデータユニットＰＰＤＵ送信方法は、送信装置により無線ＰＰＤＵを取得することであり、ＰＰＤＵは、ＨＥ−ＳＩＧ−Ａ及びＨＥ−ＳＩＧ−Ｂを含み、ＨＥ−ＳＩＧ−Ａは、ＨＥ−ＳＩＧ−Ｂ内のＯＦＤＭシンボルの数量を指し示すために使用されるフィールドを含み、また、ＨＥ−ＳＩＧ−Ｂフィールド伝送に、異なるＭＣＳが使用されるときに、ＤＣＭが使用されるのかで、又は異なる帯域幅が使用されるときに、ＨＥ−ＳＩＧ−Ｂ内のＯＦＤＭシンボルの数量を指し示すために使用されるフィールド内の同じ値がＯＦＤＭシンボルの異なる数量を指し示す、取得することと、ＰＰＤＵを送信することであり、受信装置が、異なるＭＣＳ、又はＤＣＭが使用されるか、又は異なる帯域幅を参照して、及びＨＥ−ＳＩＧ−Ｂ内のＯＦＤＭシンボルの数量を指し示すために使用されるフィールドの値に基づいて、ＨＥ−ＳＩＧ−Ｂ内のＯＦＤＭシンボルの数量を決定するようにする、送信することとを含む。
2020537434.tif 000002
【特許請求の範囲】
【請求項１】
無線物理層プロトコルデータユニットＰＰＤＵ送信方法であって、
送信装置により、無線物理層プロトコルデータユニットＰＰＤＵを取得することであり、前記ＰＰＤＵは、高効率−信号フィールドＡ  ＨＥ−ＳＩＧ−Ａ及び高効率−信号フィールドＢ  ＨＥ−ＳＩＧ−Ｂを含み、前記ＨＥ−ＳＩＧ−Ａは、前記ＨＥ−ＳＩＧ−Ｂ内のＯＦＤＭシンボルの数量を指し示すために使用されるフィールドを含み、
前記フィールドの値が特定の値であるとき、該値は、前記ＨＥ−ＳＩＧ−Ｂに含まれるＯＦＤＭシンボルの前記数量が１６以上であることを指し示すために使用され、前記フィールドの値が別の値であるとき、該値は、前記ＨＥ−ＳＩＧ−Ｂに含まれるＯＦＤＭシンボルの前記数量を指し示すために使用される、
ＰＰＤＵを取得することと、
前記ＰＰＤＵを送信することと、
を有する方法。
【請求項２】
前記ＨＥ−ＳＩＧ−Ｂ内のＯＦＤＭシンボルの前記数量を指し示すために使用される前記フィールドは、前記ＨＥ−ＳＩＧ−Ａ内のＢ１８−Ｂ２１であり、
前記Ｂ１８−Ｂ２１の値が０から１４のうちのいずれか１つであるとき、前記ＨＥ−ＳＩＧ−Ｂに含まれるＯＦＤＭシンボルの前記数量は、前記Ｂ１８−Ｂ２１の値＋１に等しく、前記Ｂ１８−Ｂ２１の値が１５であるとき、該値は、前記ＨＥ−ＳＩＧ−Ｂに含まれるＯＦＤＭシンボルの前記数量が１６以上であることを指し示すために使用される、
請求項１に記載の方法。
【請求項３】
前記ＨＥ−ＳＩＧ−Ａは更にＢ２２を含み、前記Ｂ２２の値が０であるとき、前記Ｂ１８−Ｂ２１の前記値は、前記ＨＥ−ＳＩＧ−Ｂ内のＯＦＤＭシンボルの数量を指し示すために使用され、前記Ｂ２２の値が１であるとき、前記Ｂ１８−Ｂ２１の前記値は、マルチユーザ多入力多出力伝送に参加しているステーションの数量を指し示すために使用される、請求項２に記載の方法。
【請求項４】
無線物理層プロトコルデータユニットＰＰＤＵ受信方法であって、
無線物理層プロトコルデータユニットＰＰＤＵを受信することであり、前記ＰＰＤＵは、高効率−信号フィールドＡ  ＨＥ−ＳＩＧ−Ａ及び高効率−信号フィールドＢ  ＨＥ−ＳＩＧ−Ｂを含み、前記ＨＥ−ＳＩＧ−Ａは、前記ＨＥ−ＳＩＧ−Ｂ内のＯＦＤＭシンボルの数量を指し示すために使用されるフィールドを含み、前記フィールドの値が特定の値であるとき、該値は、前記ＨＥ−ＳＩＧ−Ｂに含まれるＯＦＤＭシンボルの前記数量が１６以上であることを指し示すために使用され、値が別の値であるとき、該値は、前記ＨＥ−ＳＩＧ−Ｂに含まれるＯＦＤＭシンボルの前記数量を指し示すために使用される、
ＰＰＤＵを受信することと、
受信された前記ＨＥ−ＳＩＧ−Ａに基づいて前記ＨＥ−ＳＩＧ−Ｂ内のＯＦＤＭシンボルの前記数量又は前記ＨＥ−ＳＩＧ−Ｂフィールドの終了位置を決定することと、
を有する方法。
【請求項５】
前記ＨＥ−ＳＩＧ−Ｂ内のＯＦＤＭシンボルの前記数量を指し示すために使用される前記フィールドは、前記ＨＥ−ＳＩＧ−Ａ内のＢ１８−Ｂ２１であり、
受信された前記ＨＥ−ＳＩＧ−Ａに基づいて前記ＨＥ−ＳＩＧ−Ｂ内のＯＦＤＭシンボルの前記数量又は前記ＨＥ−ＳＩＧ−Ｂフィールドの終了位置を決定することは、
前記Ｂ１８−Ｂ２１の値が０から１４のうちのいずれかの値である場合に、続く前記ＨＥ−ＳＩＧ−Ｂフィールド内のＯＦＤＭシンボルの数量Ｍを直接決定し、Ｍは、前記Ｂ１８−Ｂ２１の前記の値＋１であり、前記Ｂ１８−Ｂ２１の値が１５である場合には、前記ＨＥ−ＳＩＧ−Ｂ内の共通フィールドを読み取ることによってステーション数量情報を取得し、前記ステーション数量情報に基づいて前記ＨＥ−ＳＩＧ−Ｂに含まれるＯＦＤＭシンボルの前記数量を推測する、
ことを含む、
請求項４に記載の方法。
【請求項６】
前記ＨＥ−ＳＩＧ−Ａは更にＢ２２を含み、前記Ｂ２２の値が０であるとき、前記Ｂ１８−Ｂ２１の前記値は、前記ＨＥ−ＳＩＧ−Ｂ内のシンボルの数量を指し示すために使用され、前記Ｂ２２の前記値が１であるとき、前記Ｂ１８−Ｂ２１の前記値は、マルチユーザ多入力多出力伝送に参加しているステーションの数量を指し示すために使用される、請求項５に記載の方法。
【請求項７】
無線物理層プロトコルデータユニットＰＰＤＵ送信装置であって、
無線物理層プロトコルデータユニットＰＰＤＵを取得するように構成された取得モジュールであり、前記ＰＰＤＵは、高効率−信号フィールドＡ  ＨＥ−ＳＩＧ−Ａ及び高効率−信号フィールドＢ  ＨＥ−ＳＩＧ−Ｂを含み、前記ＨＥ−ＳＩＧ−Ａは、前記ＨＥ−ＳＩＧ−Ｂ内のＯＦＤＭシンボルの数量を指し示すために使用されるフィールドを含み、
前記フィールドの値が特定の値であるとき、該値は、前記ＨＥ−ＳＩＧ−Ｂに含まれるＯＦＤＭシンボルの前記数量が１６以上であることを指し示すために使用され、前記フィールドの値が別の値であるとき、該値は、前記ＨＥ−ＳＩＧ−Ｂに含まれるＯＦＤＭシンボルの前記数量を指し示すために使用される、
取得モジュールと、
前記ＰＰＤＵを送信するように構成された送信モジュールと、
を有する装置。
【請求項８】
前記ＨＥ−ＳＩＧ−Ｂ内のＯＦＤＭシンボルの前記数量を指し示すために使用される前記フィールドは、前記ＨＥ−ＳＩＧ−Ａ内のＢ１８−Ｂ２１であり、
前記Ｂ１８−Ｂ２１の値が０から１４のうちのいずれか１つであるとき、前記ＨＥ−ＳＩＧ−Ｂに含まれるＯＦＤＭシンボルの前記数量は、前記Ｂ１８−Ｂ２１の値＋１に等しく、前記Ｂ１８−Ｂ２１の値が１５であるとき、該値は、前記ＨＥ−ＳＩＧ−Ｂに含まれるＯＦＤＭシンボルの前記数量が１６以上であることを指し示すために使用される、
請求項７に記載の装置。
【請求項９】
前記ＨＥ−ＳＩＧ−Ａは更にＢ２２を含み、前記Ｂ２２の値が０であるとき、前記Ｂ１８−Ｂ２１の前記値は、前記ＨＥ−ＳＩＧ−Ｂ内のＯＦＤＭシンボルの数量を指し示すために使用され、前記Ｂ２２の前記値が１であるとき、前記Ｂ１８−Ｂ２１の前記値は、マルチユーザ多入力多出力伝送に参加しているステーションの数量を指し示すために使用される、請求項８に記載の装置。
【請求項１０】
無線物理層プロトコルデータユニットＰＰＤＵ受信装置であって、
無線物理層プロトコルデータユニットＰＰＤＵを受信するように構成された受信モジュールであり、前記ＰＰＤＵは、高効率−信号フィールドＡ  ＨＥ−ＳＩＧ−Ａ及び高効率−信号フィールドＢ  ＨＥ−ＳＩＧ−Ｂを含み、前記ＨＥ−ＳＩＧ−Ａは、前記ＨＥ−ＳＩＧ−Ｂ内のＯＦＤＭシンボルの数量を指し示すために使用されるフィールドを含み、前記フィールドの値が特定の値であるとき、該値は、前記ＨＥ−ＳＩＧ−Ｂに含まれるＯＦＤＭシンボルの前記数量が１６以上であることを指し示すために使用され、前記フィールドの値が別の値であるとき、該値は、前記ＨＥ−ＳＩＧ−Ｂに含まれるＯＦＤＭシンボルの前記数量を指し示すために使用される、受信モジュールと、
受信された前記ＨＥ−ＳＩＧ−Ａに基づいて前記ＨＥ−ＳＩＧ−Ｂ内のＯＦＤＭシンボルの前記数量又は前記ＨＥ−ＳＩＧ−Ｂフィールドの終了位置を決定するように構成された処理モジュールと、
を有する装置。
【請求項１１】
前記ＨＥ−ＳＩＧ−Ｂ内のＯＦＤＭシンボルの前記数量を指し示すために使用される前記フィールドは、前記ＨＥ−ＳＩＧ−Ａ内のＢ１８−Ｂ２１であり、
前記処理モジュールが、受信された前記ＨＥ−ＳＩＧ−Ａに基づいて前記ＨＥ−ＳＩＧ−Ｂ内のＯＦＤＭシンボルの前記数量又は前記ＨＥ−ＳＩＧ−Ｂフィールドの終了位置を決定することは、
前記Ｂ１８−Ｂ２１の値が０から１４のうちのいずれかの値である場合、続く前記ＨＥ−ＳＩＧ−Ｂフィールド内のＯＦＤＭシンボルの数量Ｍが直接決定され、Ｍは、ＨＥ−ＳＩＧ−Ａ  １フィールド内のＨＥ−ＳＩＧ−Ｂシンボル数量フィールド（すなわち、前記Ｂ１８−Ｂ２１）の値＋１であり、前記Ｂ１８−Ｂ２１の前記値が１５である場合に、前記ＨＥ−ＳＩＧ−Ｂ内の共通フィールドを読み取ることによってステーション数量情報が取得され、前記ステーション数量情報に基づいて前記ＨＥ−ＳＩＧ−Ｂに含まれるＯＦＤＭシンボルの前記数量が推測される、
ことを含む、
請求項１０に記載の装置。
【請求項１２】
前記ＨＥ−ＳＩＧ−Ａは更にＢ２２を含み、前記Ｂ２２の値が０であるとき、前記Ｂ１８−Ｂ２１の前記値は、前記ＨＥ−ＳＩＧ−Ｂ内のシンボルの数量を指し示すために使用され、前記Ｂ２２の前記値が１であるとき、前記Ｂ１８−Ｂ２１の前記値は、マルチユーザ多入力多出力伝送に参加しているステーションの数量を指し示すために使用される、請求項１１に記載の装置。
【発明の詳細な説明】
【技術分野】
【０００１】
この出願は、２０１７年１１月３日に中国国家知的所有権管理局に出願された、「ダウンリンクＰＰＤＵ送信方法及び装置、並びにダウンリンクＰＰＤＵ受信方法及び装置」と題された中国特許出願第２０１７１１０１４０８．８号に対する優先権を主張するものであり、その全体をここに援用する。
【０００２】
本発明は、通信技術の分野に関し、より具体的には、ダウンリンクＰＰＤＵ送信方法及び装置、並びにダウンリンクＰＰＤＵ受信方法及び装置に関する。
【背景技術】
【０００３】
ＷＬＡＮシステムにおけるサービス伝送速度を大幅に高めるために、電気電子技術者協会（ＩＥＥＥ；Institute  of  Electrical  and  Electronics  Engineers）８０２．１１ａｘ規格では、既存の直交周波数分割多重（ＯＦＤＭ；Orthogonal  Frequency  Division  Multiplexing）技術に基づいて、さらに直交周波数分割多元接続（ＯＦＤＭＡ；Orthogonal  Frequency  Division  Multiple  Access）技術が使用される。ＯＦＤＭＡ技術では、空中インタフェース上の無線チャネルの時間−周波数リソースが、複数の直交時間−周波数リソースユニット（ＲＵ；Resource  Unit）に分割される。ＲＵは、時間ドメインで共有され得るとともに、周波数ドメインで直交し得る。
【０００４】
ＯＦＤＭＡ技術は、複数のノードが同時にデータを送信及び受信することをサポートする。アクセスポイントがステーションとデータを伝送する必要があるとき、ＲＵ又はＲＵグループに基づいてリソースが割り当てられる。複数のＳＴＡがチャネルに効率的にアクセスし、それによってチャネル利用を高めるように、同じ時点に異なるＳＴＡに異なるチャネルリソースが割り当てられる。
【０００５】
ＩＥＥＥ８０２．１１ａベースのレガシー（legacy）システム及びＩＥＥＥ８０２．１１ｎベースのＨＴシステムを含め、既存のＷｉ−Ｆｉシステムでは、図１に示すように、アップリンクデータ伝送はポイント・ツー・ポイント伝送のみである。具体的に言えば、同じ時点に、同じチャネル上で、又は同じスペクトルセグメント内で、１つのＳＴＡのみがＡＰにデータを送信する。ダウンリンクデータ伝送も、ポイント・ツー・ポイント伝送である。具体的に言えば、同じ時点に、又は同じスペクトルセグメント内で、ＡＰが１つのＳＴＡのみにデータを送信する。しかしながら、次世代Ｗｉ−Ｆｉシステムで、又はＨＥＷシステムで、ＯＦＤＭＡ技術が導入された後には、図２に示すように、アップリンクデータ伝送はもはやポイント・ツー・ポイント伝送ではなく、マルチポイント・ツー・ポイント伝送となる。具体的に言えば、同じ時点に、同じチャネル上で、又は同じスペクトルセグメント内で、複数のＳＴＡが同時にデータをＡＰに送信する。ダウンリンクデータ伝送も、もはやポイント・ツー・ポイント伝送ではなく、ポイント・ツー・マルチポイント伝送となる。
【０００６】
ＯＦＤＭＡベースのＷＬＡＮシステムでは、時間−周波数リソースが効率的にＳＴＡに指し示される必要がある。
【発明の概要】
【０００７】
本発明の実施形態は、リソーススケジューリングによって生じる伝送リソースオーバーヘッドの低減を支援するダウンリンクＰＰＤＵ送信方法及び装置並びにダウンリンクＰＰＤＵ受信方法及び装置を提供する。
【０００８】
本発明の一実施形態は、上述の技術的問題を解決するために使用される複数のソリューションを提供する。無線物理層プロトコルデータユニットＰＰＤＵ送信方法は、送信装置により無線物理層プロトコルデータユニットＰＰＤＵを取得することであり、ＰＰＤＵは、高効率−信号フィールドＡ及び高効率−信号フィールドＢ  ＨＥ−ＳＩＧ−Ｂを含み、ＨＥ−ＳＩＧ−Ａは、ＨＥ−ＳＩＧ−Ｂ内のＯＦＤＭシンボルの数量を指し示すために使用されるフィールドを含み、また、ＨＥ−ＳＩＧ−Ｂフィールド伝送に、異なるＭＣＳが使用されるときに、ＤＣＭが使用されるのかで、又は異なる帯域幅が使用されるときに、ＨＥ−ＳＩＧ−Ｂ内のＯＦＤＭシンボルの数量を指し示すために使用されるフィールド内の同じ値がＯＦＤＭシンボルの異なる数量を指し示す、取得することと、ＰＰＤＵを送信することであり、受信装置が、異なるＭＣＳ、又はＤＣＭが使用されるか、又は異なる帯域幅を参照して、及びＨＥ−ＳＩＧ−Ｂ内のＯＦＤＭシンボルの数量を指し示すために使用されるフィールドの値に基づいて、ＨＥ−ＳＩＧ−Ｂ内のＯＦＤＭシンボルの数量を決定するようにする、送信することとを含む。
【０００９】
対応して、本発明の一実施形態は更に、上述の方法を実行するように構成され得る装置、並びに受信器側の方法及び装置を提供する。詳細をここで再び説明することはしない。本発明の一実施形態はまた、全ての実装形態にて言及される方法のうちの１つを実装するように構成された、対応するコンピュータ読み取り可能記憶媒体を提供する。
【００１０】
本発明の実施形態におけるＰＰＤＵ送信方法及び装置によれば、ＷＬＡＮシステムにおけるＯＦＤＭＡ伝送を適切且つ効率的に完遂することができる。
【図面の簡単な説明】
【００１１】
本発明の実施形態における技術的ソリューションをいっそう明瞭に説明するため、以下、実施形態又は従来技術を説明するのに必要な添付の図を簡単に説明する。明らかなように、以下に説明される添付の図は、単に、本発明の幾つかの実施形態を示すものであり、当業者は、創作努力なく、これら添付の図から他の図を得ることができる。
【図１】ＷＬＡＮシステムにおけるポイント・ツー・ポイント伝送の簡単な概略図である。
【図２】他のＷＬＡＮシステムにおけるマルチポイント・ツー・ポイント伝送を示している。
【図３】（８０２．１１ａｘに準拠する）本発明の一実施形態に従ったダウンリンクマルチステーションＰＰＤＵフレームの簡単な概略構造図である。
【図４】ＨＥ−ＳＩＧ−Ｂコンテンツチャネルの概略構造図である。
【図５】送信装置の簡単な概略構造図である。
【図６】受信装置の簡単な概略構造図である。
【発明を実施するための形態】
【００１２】
以下、本発明の実施形態内の添付図面を参照して、本発明の実施形態における技術的ソリューションを明瞭に説明する。明らかなように、説明される実施形態は、本発明の実施形態のうちの一部であって、全てではない。本発明のこれらの実施形態に基づいて創作努力なく得られる他の実施形態は全て、本発明の保護範囲に入るものである。
【００１３】
頭字語及び略称
【表１】
2020537434.tif 000003
【００１４】
各実装における送信装置は、例えば、ＷＬＡＮ内のアクセスポイント（ＡＰ；Access  Point）とすることができ、ＡＰは、無線アクセスポイント、ブリッジ、ホットスポット、又はこれらに類するものとして参照されることもあり、サーバ又は通信ネットワークにアクセスし得る。
【００１５】
受信装置としては、例えば、受信装置は、ＷＬＡＮにおけるユーザステーション（ＳＴＡ；Station）とすることができ、ＳＴＡは、ユーザとして参照されることもあり、ワイヤレスセンサ、ワイヤレス通信端末、又は例えば携帯電話（又は“セルラー”電話として参照される）といったモバイル端末、及び無線通信機能を有するコンピュータとし得る。例えば、受信装置は、例えば音声及び／又はデータなどの通信データを無線アクセスネットワークと交換するポータブル、ポケットサイズ、ハンドヘルド、コンピュータ内蔵、ウェアラブル、又は車両搭載の無線通信装置とし得る。
【００１６】
理解されるべきことには、本発明の実施形態における方法に適用可能な上で挙げたシステムは、説明のための単なる例であり、本発明は、これらに限定されるものではない。例えば、さらに、グローバル・システム・フォー・モバイル・コミュニケーションズ（ＧＳＭ；global  system  for  mobile  communications）、符号分割多元接続（ＣＤＭＡ；Code  Division  Multiple  Access）システム、広帯域符号分割多元接続（ＷＣＤＭＡ；Wideband  Code  Division  Multiple  Access  Wireless）システム、汎用パケット無線サービス（ＧＰＲＳ；General  Packet  Radio  Service）システム、ロング・ターム・エボリューション（ＬＴＥ；Long  Term  Evolution）システムを挙げ得る。
【００１７】
対応して、ネットワーク装置はアクセスポイントとすることができ、これは本発明において限定されることではない。端末装置は、モバイル端末（Mobile  Terminal）、又は例えば携帯電話（又は“セルラー”電話として参照される）といったモバイルユーザ装置とし得る。
【００１８】
本発明の各実装においてＡＰによって送信されるダウンリンクＰＰＤＵは、８０２．１１ａｘ規格に準拠し、このことは、従来のＷｉ−Ｆｉシステムにおける伝送フレームフォーマットとの互換性を保証することができる。図３に示すように、ＰＰＤＵのフレームフォーマットは、レガシー−プリアンブル部分Legacy-preamble、高効率−信号フィールドＡ（High  Efficiency  signal  field  A；ＨＥ−ＳＩＧ−Ａ）、高効率−信号フィールドＢ（High  Efficiency  signal  field  B；ＨＥ−ＳＩＧ−Ｂ）、高効率−ショートトレーニングフィールド（High  Efficiency  short  training  field；ＨＥ−ＳＴＦ）、高効率−ロングトレーニングフィールド（High  Efficiency  long  training  field；ＨＥ−ＬＴＦ）、及びデータフィールドを含んでいる。レガシー−プリアンブルは、レガシー−ショートトレーニングフィールド（legacy-short  training  field；Ｌ−ＳＴＦ）、レガシー−ロングトレーニングフィールド（legacy-long  training  field；Ｌ−ＬＴＦ）、及びレガシー−信号フィールド（legacy-signal  field；Ｌ−ＳＩＧ）を含んでいる。
【００１９】
言及しておくべきことには、ＨＥ−ＳＩＧ−Ａに含まれるサブフィールドのインジケーションに基づいて、ＨＥ−ＳＩＧ−Ｂフィールドに含まれるＯＦＤＭシンボルの数量は変更可能であり、ＨＥ−ＳＩＧ−Ｂフィールドに先行するフィールドは各々、固定量のＯＦＤＭシンボルを含む。例えば、ＨＥ−ＳＩＧ−Ａは、２つの量のＯＦＤＭシンボルを含む。ＨＥ−ＳＩＧ−Ａ内の前述のサブフィールドは、ＨＥ−ＳＩＧ−Ｂフィールドに含まれるＯＦＤＭシンボルの数量を指し示すために使用される。該サブフィールドの長さは固定であり、該サブフィールドは、例えばＢ１８−Ｂ２１といった４ビットを占める。
【００２０】
本発明の一実施形態において、伝送帯域幅は、２０Ｍ、４０Ｍ、８０Ｍ、１６０Ｍと、８０Ｍ及び１６０Ｍの帯域幅の４つのパンクチャリングモードとを含む。２０Ｍ帯域幅の分割によって得ることができ得るリソースユニットは、２６リソースユニット、５２リソースユニット、１０６リソースユニット、及び２４２リソースユニットを含み、以上の幾つかの異なるリソースユニットを２０Ｍ帯域幅へと組み合わせることができ、２０Ｍ帯域幅は、最多で９個の２６リソースユニット（２６個の副搬送波を含み、全てのタイプのリソースユニットのうち最小のものである）に分割され得る。４０Ｍ帯域幅の分割によって得ることができ得るリソースユニットは、２６リソースユニット、５２リソースユニット、１０６リソースユニット、２４２リソースユニット、及び４８４リソースユニットを含み、以上の幾つかの異なるリソースユニットを４０Ｍ帯域幅へと組み合わせることができ、４０Ｍ帯域幅は、最多で１８個の２６リソースユニットに分割され得る。８０Ｍ帯域幅の分割によって得ることができ得るリソースユニットは、２６リソースユニット、５２リソースユニット、１０６リソースユニット、２４２リソースユニット、４８４リソースユニット、及び９９６リソースユニットを含み、以上の幾つかの異なるリソースユニットを８０Ｍ帯域幅へと組み合わせることができ、８０Ｍ帯域幅は、最多で３７個の２６リソースユニットに分割され得る。１６０Ｍ帯域幅の分割によって得ることができ得るリソースユニットは、２６リソースユニット、５２リソースユニット、１０６リソースユニット、２４２リソースユニット、４８４リソースユニット、９９６リソースユニット、及び９９６×２リソースユニットを含み、以上の幾つかの異なるリソースユニットを１６０Ｍ帯域幅へと組み合わせることができ、１６０Ｍ帯域幅は、最多で７４個の２６リソースユニットに分割され得る。具体的には８０２．１１ａｘ規格を参照することができ、詳細をここで再び説明することはしない。
【００２１】
伝送プロセスにおいて、帯域幅が２０ＭＨｚの基本チャネルよりも大きい場合、レガシー−プリアンブル、ＲＬ−ＳＩＧ、及びＨＥ−ＳＩＧ−Ａが複製されて、各２０ＭＨｚチャネル上で伝送される。しかし、ＨＥ−ＳＩＧ−Ｂは、各２０ＭＨｚチャネル上で［１  ２  １  ２］方式で伝送される。具体的には、帯域幅が２０Ｍであるとき、ＨＥ−ＳＩＧ−Ｂは、１つのＨＥ−ＳＩＧ−Ｂコンテンツチャネルのみを含み、該ＨＥ−ＳＩＧ−Ｂコンテンツチャネルが２０Ｍのチャネル上で伝送される。帯域幅が２０Ｍよりも大きいとき、ＨＥ−ＳＩＧ−Ｂは、２つのＨＥ−ＳＩＧ−Ｂコンテンツチャネルのみを含み、各ＨＥ−ＳＩＧ−Ｂコンテンツチャネルが同量のＯＦＤＭシンボルを含む。一方のＨＥ−ＳＩＧ−Ｂコンテンツチャネルは、奇数番号の２０Ｍチャネル上で伝送され（略してＨＥ−ＳＩＧ−Ｂ１）、複数の奇数番号の２０Ｍチャネルの割当て情報（共通フィールドcommon  field内にある）と、該複数の奇数番号の２０Ｍチャネル上で伝送されるユーザフィールド（ユーザ固有フィールドuser  specific  field内にある）とを含む。他方のＨＥ−ＳＩＧ−Ｂコンテンツチャネルは、偶数番号の２０Ｍチャネル上で伝送され（略してＨＥ−ＳＩＧ−Ｂ２）、複数の偶数番号の２０Ｍチャネルの割当て情報と、該複数の偶数番号の２０Ｍチャネル上で伝送されるユーザフィールドとを含む。さらに、これら２つのＨＥ−ＳＩＧ−Ｂコンテンツチャネルに含まれるビットの数は同じである必要があり、一方のＨＥ−ＳＩＧ−Ｂコンテンツチャネルに含まれるビットの数が他方のＨＥ−ＳＩＧ−Ｂコンテンツチャネルに含まれるビットの数よりも長い場合、アライメントのために短いＨＥ−ＳＩＧ−Ｂコンテンツチャネルにビットをパディングする必要がある。
【００２２】
図４を参照するに、ＨＥ−ＳＩＧ−Ｂコンテンツチャネルは、共通フィールド及びユーザ固有フィールドを含む。共通フィールドは、奇数番号又は偶数番号の２０Ｍチャネルの８×Ｎビットのリソース割当て情報（Ｎは奇数番号又は偶数番号の２０Ｍチャネルの数量）と、８０ＭＨｚにおける又は１６０Ｍ帯域幅の８０Ｍにおける２６リソースユニットが使用されるかを指し示す１ビットのインジケーションと、４ビットの巡回冗長検査コードフィールドと、６ビットのテールビットフィールドとを含む。ユーザ固有フィールドは更に、ユーザブロックフィールドを含む。最後のユーザブロックフィールドに加えて、各ユーザブロックフィールドは更に、２つのユーザフィールドと、巡回冗長検査コードフィールドと、テールビットフィールドとを含む。最後のユーザブロックフィールドは、１つ又は２つのユーザフィールドと、４ビットの巡回冗長検査コードフィールドと、６ビットのテールビットフィールドとを含み得る。ユーザフィールドは２１ビットを含む。従って、ユーザ固有フィールドは、Ｚ×２１＋ｃｅｉｌ（Ｚ／２）×１０ビットを含み、ここで、ＺはＨＥ−ＳＩＧ−Ｂコンテンツチャネルに含まれるステーションの数（ダミーステーションを含めてであり、ダミーステーションとは、共通フィールドにて指し示される未使用リソースユニット以外の他の未使用リソースユニットに対応するステーションである）であり、ｃｅｉｌ（）は切り上げである。
【００２３】
従って、ＨＥ−ＳＩＧ−Ｂコンテンツチャネル全体に含まれるビットの量は：
８×Ｎ＋ａ＋１０＋Ｚ×２１＋ｃｅｉｌ（Ｚ／２）×１０        式１
であり、ここで、帯域幅が８０Ｍ又は１６０Ｍであるときには、ａ＝１であり、それ以外では、ａ＝０である。
【００２４】
共通フィールドは、リソース割当て情報を含んでおり、ＲＵ割当てを指し示すために使用される。ユーザ固有フィールドに含まれるユーザフィールドは、分割を通じて得られる幾つかのリソースユニットと一対一の対応関係にある。例えば、帯域幅スペクトルリソースが２つのリソースユニットに分割されるとともに、ユーザ固有フィールドに含まれるユーザフィールドがステーション１情報フィールド及びステーション２情報フィールドであり、これが意味することは、ステーション１のデータが第１のリソースユニット上で伝送され、ステーション２のデータが第２のリソースユニット上で伝送されるということである。
【００２５】
複数のステーションがダウンリンクＯＦＤＭＡで呼び出される場合、それが意味することは、各ＨＥ−ＳＩＧ−Ｂコンテンツチャネルに含まれる情報ビットの量が過剰であり、その結果、ＨＥ−ＳＩＧ−Ｂフィールドに含まれるＯＦＤＭシンボルの数量が過剰であるということである。従って、続くＨＥ−ＳＩＧ−ＢフィールドのＯＦＤＭシンボルの数量を指し示すために、ＨＥ−ＳＩＧ−Ａフィールド内で大量のビットが費やされる必要がある。しかしながら、ＨＥ−ＳＩＧ−Ａに含まれるビットの数量は限られている。
【００２６】
具体的には、一例として、８０２．１１ａｘドラフト２．０版で規定されるＨＥ−ＳＩＧ−Ａを用いると、８０２．１１ａｘにおけるダウンリンクマルチステーションＰＰＤＵフレーム内のＨＥ−ＳＩＧ−Ａフィールドは、以下の通りである。
【表２】
2020537434.tif 000004
【００２７】
既存の８０２．１１ａｘドラフト２．０版でのＨＥ−ＳＩＧ−Ａ  １において、Ｂ２２の値が０である場合、Ｂ１８−Ｂ２１の値は、ＨＥ−ＳＩＧ−Ｂ内のシンボルの数量から１を引いたものであり、そして、Ｂ２２の値が１である場合には、Ｂ１８−Ｂ２１の値は、マルチユーザ多入力多出力伝送に参加しているステーションの数量から１を引いたものである。具体的に言えば、ＨＥ−ＳＩＧ−Ｂ内のシンボルの数量を指し示すために、ＨＥ−ＳＩＧ−Ａによって４ビットが使用され、最大で１６個のＯＦＤＭシンボルを指し示すことができる。
【００２８】
しかしながら、上述の技術的ソリューションは、以下の問題を有する。
【００２９】
計算によれば、ＭＣＳ０及び二重搬送波変調がＨＥ−ＳＩＧ−Ｂに用いられるとき、１６個のＯＦＤＭシンボルは２０８ビットデータを運ぶことができ、ＭＣＳ０、又はＭＣＳ１及び二重搬送波変調がＨＥ−ＳＩＧ−Ｂに用いられるとき、１６個のＯＦＤＭシンボルは４１６ビットデータを含み、そして、ＭＣＳ１、又はＭＣＳ２及び二重搬送波変調がＨＥ−ＳＩＧ−Ｂに用いられるときには、１６個のＯＦＤＭシンボルは８３２ビットデータを含む。以上のビットデータは、パイロットビットを含んでいない。
【００３０】
帯域幅が１６０Ｍであるとき、奇数番号の４つの２０Ｍチャネルと、４つの偶数番号の２０Ｍチャネル４個とが含まれる。式１に基づき、ＭＣＳ０及び二重搬送波変調がＨＥ−ＳＩＧ−Ｂに用いられる場合、
８×Ｎ＋ａ＋１０＋ｃｅｉｌ（Ｘ）×２１＋ｃｅｉｌ（ｃｅｉｌ（Ｘ）×／２）×１０≦２０８        （式２）
である。
【００３１】
ここで、Ｎ＝４、ａ＝１であり、Ｘは、１６０Ｍ帯域幅のＰＰＤＵ内のＨＥ−ＳＩＧ−Ｂに含まれるユーザフィールドの総量である。なお、Ｘは、ユーザフィールドの２つのＨＥ−ＳＩＧ−Ｂコンテンツチャネルが各々同じ量のユーザフィールドを含むことに基づく。２つのＨＥ−ＳＩＧ−Ｂコンテンツチャネルに含まれるユーザフィールドの量が異なる場合、長いＨＥ−ＳＩＧ−Ｂコンテンツチャネルと長さにおいて揃うように、短いＨＥ−ＳＩＧ−Ｂコンテンツチャネルをガベッジビットでパディングする必要がある。従って、ＨＥ−ＳＩＧ−Ｂに含まれる実際のユーザフィールドの数量はＸ未満である。計算を通じてＸ≦１２が得られる。従って、ＭＣＳ０及び二重搬送波変調がＨＥ−ＳＩＧ−Ｂに使用される場合、１６０Ｍ帯域幅内でスケジュールされることができるステーションの最大数は１２を超えることができない。
【００３２】
しかしながら、１６０Ｍ、８０Ｍ、４０Ｍの帯域幅は、最大で７４、３２、１８個のリソースユニットに分割されることができ、各リソースユニットのタイプは、最小の２６リソースユニットである。換言すれば、７４、３２、１８個のステーションがスケジュールされることが可能にされる。しかしながら、既存のＨＥ−ＳＩＧ−Ｂにおけるシンボルの数量の上限に起因して、ダウンリンクＯＦＤＭＡでスケジュールされるステーションの最大数は１２であり、それにより、ＯＦＤＭＡ技術によって生じるマルチユーザダイバーシティの増大を減少させる。なお、２０Ｍ帯域幅は、最大で９個のリソースユニットに分割され得るものであるので、２０Ｍ帯域幅が、既存のＨＥ−ＳＩＧ−Ｂにおけるシンボルの数量の上限によって制限されることはない。
【００３３】
実施形態１
上述の技術的ソリューションにて述べたように、既存のＨＥ−ＳＩＧ−Ａ  １フィールド内のＨＥ−ＳＩＧ−Ｂシンボル数量フィールドＢ１８−Ｂ２１は、ＨＥ−ＳＩＧ−Ｂに含まれる最大で１６個のＯＦＤＭシンボルを指し示すころができる。結果として、８０Ｍ又は１６０Ｍの帯域幅内で最大で１２個のステーションがスケジュールされることができる。ダウンリンクＯＦＤＭＡで過剰なステーションがスケジュールされる場合には、その結果として、ＨＥ−ＳＩＧ−Ｂ内のシンボルの数量が１６よりも多い。しかしながら、この場合にも、受信器はなおも、ＨＥ−ＳＩＧ−Ａ  １フィールド内のＨＥ−ＳＩＧ−Ｂシンボル数量フィールドのインジケーションに従って履行を果たす。結果として、受信器は、ＨＥ−ＳＩＧ−Ｂの終了ビット（終了位置）を誤決定し、データパケットを誤って受信する。
【００３４】
上述の問題を回避するために、本発明の一実装が提供され、それは以下のステップを含む。
【００３５】
送信器側で：
１０１．  送信装置が、無線物理層プロトコルデータユニットＰＰＤＵを取得し、該ＰＰＤＵは、高効率−信号フィールドＡ  ＨＥ−ＳＩＧ−Ａ及び高効率−信号フィールドＢ  ＨＥ−ＳＩＧ−Ｂを含み、該ＨＥ−ＳＩＧ−Ａは、ＨＥ−ＳＩＧ−Ｂ内のＯＦＤＭシンボルの数量を指し示すために使用されるフィールド（例えば、フィールドＢ１８−Ｂ２１）を含む。
【００３６】
ＨＥ−ＳＩＧ−Ｂ内のＯＦＤＭシンボルの数量を指し示すために使用されるＨＥ−ＳＩＧ−Ａフィールド内のフィールド（例えば、フィールドＢ１８−Ｂ２１）について、該フィールドの値が特定の値であるとき（例えば、ＨＥ−ＳＩＧ−Ａ内のＢ１８−Ｂ２１が１５、つまり、“１１１１”であるとき）、その値は、ＨＥ−ＳＩＧ−Ｂに含まれるＯＦＤＭシンボルの数量が１６以上であることを指し示すために使用され、該フィールドの値が別の値であるとき、その値は、ＨＥ−ＳＩＧ−Ｂに含まれるＯＦＤＭシンボルの数量を指し示すために使用される。例えば、ＨＥ−ＳＩＧ−Ａ内のＢ１８−Ｂ２１が０から１４のうちのいずれか１つであるとき、ＨＥ−ＳＩＧ−Ｂに含まれるＯＦＤＭシンボルの数量は、フィールドＢ１８−Ｂ２１の値＋１に等しい。
【００３７】
１０２．  ＰＰＤＵを送信して、受信装置が、少なくとも、ＨＥ−ＳＩＧ−Ａに含まれるフィールドであってＨＥ−ＳＩＧ−Ｂ内のＯＦＤＭシンボルの数量を指し示すために使用されるフィールドに基づいて、ＨＥ−ＳＩＧ−Ｂの終了位置を決定するようにする。
【００３８】
受信器側で、この方法は以下のステップを含む。
【００３９】
１０３．  無線物理層プロトコルデータユニットＰＰＤＵを受信し、該ＰＰＤＵは、高効率−信号フィールドＡ  ＨＥ−ＳＩＧ−Ａ及び高効率−信号フィールドＢ  ＨＥ−ＳＩＧ−Ｂを含み、該ＨＥ−ＳＩＧ−Ａは、ＨＥ−ＳＩＧ−Ｂ内のＯＦＤＭシンボルの数量を指し示すために使用されるフィールド（例えば、フィールドＢ１８−Ｂ２１）を含む。
【００４０】
具体的には、ＨＥ−ＳＩＧ−Ａは更に、ＨＥ−ＳＩＧ−Ｂに使用されるＭＣＳ、ＨＥ−ＳＩＧ−ＢにＤＣＭが使用されるか、又はＨＥ−ＳＩＧ−Ｂに関する現在の帯域幅、という情報のうちの１つ又は組み合わせを含み得る。
【００４１】
１０４．  受信装置は、受信したＨＥ−ＳＩＧ−Ａに基づいて、ＨＥ−ＳＩＧ−Ｂ内のＯＦＤＭシンボルの数量（又はＨＥ−ＳＩＧ−Ｂフィールドの終了位置）を決定する。
【００４２】
具体的には、受信したＨＥ−ＳＩＧ−Ａフィールドに基づき、ＨＥ−ＳＩＧ−Ｂシンボル数量フィールド（すなわち、Ｂ１８−Ｂ２１）の値が０から１４である場合、続くＨＥ−ＳＩＧ−ＢフィールドのＯＦＤＭシンボルの数量Ｍが直接決定される。具体的には、Ｍは、ＨＥ−ＳＩＧ−Ａフィールド内のＨＥ−ＳＩＧ−Ｂシンボル数量フィールド（すなわち、Ｂ１８−Ｂ２１）の値＋１である。ＨＥ−ＳＩＧ−Ｂシンボル数量フィールド（すなわち、Ｂ１８−Ｂ２１）の値が１５である場合には、ＨＥ−ＳＩＧ−Ｂ内の共通フィールドを読み取ることによってステーション数量情報が取得され、該ステーション数量情報に基づいて、ＨＥ−ＳＩＧ−Ｂに含まれるＯＦＤＭシンボルの数量が推測される。
【００４３】
一例において、上述の推測方法は、以下を含む。ＨＥ−ＳＩＧ−Ｂフィールドは、２つのＨＥ−ＳＩＧ−Ｂコンテンツチャネル、すなわち、上述のＨＥ−ＳＩＧ−Ｂ  １及びＨＥ−ＳＩＧ−Ｂ  ２を含む。この場合、ＨＥ−ＳＩＧ−Ｂフィールド内のＯＦＤＭシンボルの数量は、より多量のユーザフィールドを含むＨＥ−ＳＩＧ−Ｂコンテンツチャネルに依存する。従って、受信装置は、２つのＨＥ−ＳＩＧ−Ｂコンテンツチャネルの各々に別々に含まれる共通フィールドを読み取り、そして、それら２つの共通フィールドに含まれる全ての２０Ｍチャネルの８ビットリソース割当て情報に基づいて、分割された各リソースユニット上のステーションの数を累算し、それにより、各ＨＥ−ＳＩＧ−Ｂコンテンツチャネルに含まれるユーザフィールド（共通フィールドによって指し示される未使用リソースユニット以外の他の未使用リソースユニットを含み、この場合、ユーザフィールドの数量は１である）を取得する必要がある。
【００４４】
最大のユーザフィールドを含むＨＥ−ＳＩＧ−Ｂコンテンツチャネル（このＨＥ−ＳＩＧ−Ｂコンテンツチャネルと長さにおいて揃うように他方のＨＥ−ＳＩＧ−Ｂコンテンツチャネルはパディングされている）に基づき、このＨＥ−ＳＩＧ−Ｂコンテンツチャネルのビットの数量が式１に基づいて取得され、次いで、各ＯＦＤＭシンボルに含まれるビットの数量が、ＨＥ−ＳＩＧ−Ｂによって使用されるＭＣＳ、及びＤＣＭが使用されるか、に基づいて取得され、それにより、ＨＥ−ＳＩＧ−Ｂコンテンツチャネルに含まれるＯＦＤＭシンボルの数量が得られる。最終的に、ＨＥ−ＳＩＧ−Ｂフィールドに含まれるシンボルの数量が得られる。
【００４５】
理解を容易にするために、例を用いて上述のソリューションを説明する。８０Ｍ帯域幅のチャネルのダウンリンクＯＦＤＭＡ  ＰＰＤＵを例として用い、８０Ｍチャネルは、各々が２０Ｍ帯域幅である第１のチャネル、第２のチャネル、第３のチャネル、及び第４のチャネルを順次に含む。８０２．１１ａｘドラフト２．０に基づくＨＥ−ＳＩＧ−Ｂ内の共通フィールドのリソース割当て情報のテーブルでは、各ＨＥ−ＳＩＧ−Ｂコンテンツチャネルの共通フィールドは、各２０Ｍチャネルに対して固有である２つのリソース割当てシーケンスであり、各リソース割当てシーケンスの長さが８ビットである、２つのリソース割当てシーケンスと、８０Ｍにおける２６リソースユニットが使用されているかを指し示す１ビットのインジケーションと、４ビットの巡回冗長検査コードと、６ビットのテールビットとを含んでいる。リソース割当てシーケンス、及び８０Ｍにおける２６リソースユニットが使用されているかを指し示すインジケーションは、各ＨＥ−ＳＩＧ−Ｂコンテンツチャネルに含まれるステーション情報の数量に関係するので、以下ではこれら２つのファクタのみを考えることとする。ＭＣＳ０及びＤＣＭがＨＥ−ＳＩＧ−Ｂ伝送に使用されると仮定し、
ＨＥ−ＳＩＧ−Ｂコンテンツチャネル１（略して、ＨＥ−ＳＩＧ−Ｂ  １）のリソース割当てシーケンスが“００００００００”、“１１００１００１”、及び“０”であるとき、これら３つのシーケンスによって指し示される意味が以下の通りである、すなわち、第１のシーケンスは、第１の２０Ｍチャネルが９個の２６リソースユニットに分割され、各２６リソースユニットが１つのステーションのみによって伝送されることを指し示し、第２のシーケンスは、第３の２０Ｍチャネル及び第４の２０Ｍチャネルが４８４リソースユニットへと結合され、その４８４リソースユニットを伝送するステーションにおいて、２つのステーションの情報フィールドがＨＥ−ＳＩＧ−Ｂ  １に含められることを指し示し、そして、第３のシーケンスは、８０Ｍ帯域幅における２６リソースユニットが使用されず、対応するダミーユーザフィールドが存在しないことを指し示す、と仮定し、且つ
ＨＥ−ＳＩＧ−Ｂコンテンツチャネル２（略して、ＨＥ−ＳＩＧ−Ｂ  ２）のリソース割当てシーケンスが“０００００００１”、“１１００１１０１”、及び“０”であるとき、これら３つのシーケンスによって指し示される意味が以下の通りである、すなわち、第１のシーケンスは、第２の２０Ｍチャネルが７個の２６リソースユニットと１つの５２リソースユニットとに分割され、２６リソースユニット及び５２リソースユニットの各々が１つのステーションのみによって伝送されることを指し示し、第２のシーケンスは、第４の２０Ｍチャネルに対応して、第３の２０Ｍチャネル及び第４の２０Ｍチャネルが４８４リソースユニットへと結合され、その４８４リソースユニットを伝送するステーションにおいて、６個のステーションの情報フィールドがＨＥ−ＳＩＧ−Ｂ  ２に含められることを指し示し、そして、第３のシーケンスは、８０Ｍ帯域幅における２６リソースユニットが使用されず、対応するダミーユーザフィールドが存在しないことを指し示す、と仮定する。
【００４６】
上述のシーケンスインジケーションによって指し示される意味は、８０２．１１ａｘドラフト２．０に基づいている。
上述の２つのＨＥ−ＳＩＧ−Ｂコンテンツチャネルが受信されて正しくデコードされることで、ＨＥ−ＳＩＧ−Ｂコンテンツチャネル１に含まれるユーザフィールドの数量が１１であり、ＨＥ−ＳＩＧ−Ｂコンテンツチャネル２に含まれるユーザフィールドの数量が１４であることが分かる。従って、ステーションは、１４個のユーザフィールド（２つのうち大きい方）を使用することによって、ＨＥ−ＳＩＧ−Ｂ内のＯＦＤＭシンボルの数量を計算し、そして、数１に基づき、Ｎ＝２、Ｚ＝１４、及びａ＝１として、ＨＥ−ＳＩＧ−Ｂに含まれる情報ビットの量は３９１ビットである。ＭＣＳ０及びＤＣＭが使用されるＨＥ−ＳＩＧ−Ｂ内の各ＯＦＤＭシンボルは１３ビットを含んでおり、受信器は、ＨＥ−ＳＩＧ−Ｂに３１個のＯＦＤＭシンボルが必要であることを知り得る。
【００４７】
実施形態２
他の代替的な一実装では、ＨＥ−ＳＩＧ−Ａ内のフィールドがＨＥ−ＳＩＧ−Ｂ内の全てのＯＦＤＭシンボルの数量を指し示すことができない問題も解決され得る。
【００４８】
この実装において、ＨＥ−ＳＩＧ−Ａ及びＨＥ−ＳＩＧ−Ｂのフィールド及び機能は、上述したものと同じである。過剰なステーションがダウンリンクＯＦＤＭＡでスケジュールされることに起因して、ＨＥ−ＳＩＧ−Ａ  １フィールド内のＨＥ−ＳＩＧ−Ｂシンボル数量フィールドＢ１８−Ｂ２１によって指し示される最大数１６を、ＨＥ−ＳＩＧ−Ｂ内のシンボルの数が超えるという衝突を回避するために、ダウンリンクＯＦＤＭＡでスケジュールされるステーションの最大数を制限してもよい。
【００４９】
例えば、１６０Ｍ又は８０Ｍの帯域幅について、最低のレート並びにＭＣＳ０及びＤＣＭがＨＥ−ＳＩＧ−Ｂ伝送に使用される。具体的に言えば、ＨＥ−ＳＩＧ−Ｂは、１６×１３＝２０８ビットを含むことが許される。数１に基づき、１６０Ｍ又は８０Ｍの帯域幅において、呼び出されることが可能なステーションの最大数はＸであり、
８×Ｎ＋ａ＋１０＋ｃｅｉｌ（Ｘ／２）×２１＋ｃｅｉｌ（ｃｅｉｌ（Ｘ／２）／２）×１０≦２０８        （式３）
ここで、Ｎ＝４又はＮ＝２、ａ＝１であり、そして、計算を通じてＸ＝１２が得られる。
【００５０】
他の一例では、４０Ｍ帯域幅について、最低のレート並びにＭＣＳ０及びＤＣＭがＨＥ−ＳＩＧ−Ｂ伝送に使用される。具体的に言えば、ＨＥ−ＳＩＧ−Ｂは、１６×１３＝２０８ビットを含むことが許される。数１に基づき、４０Ｍ帯域幅において、呼び出されることが可能なステーションの最大数はＸであり、
８×Ｎ＋ａ＋１０＋ｃｅｉｌ（Ｘ／２）×２１＋ｃｅｉｌ（ｃｅｉｌ（Ｘ／２）／２）×１０≦２０８        （式３）
ここで、Ｎ＝１、及びａ＝１であり、そして、計算を通じてＸ＝１４が得られる。
【００５１】
なお、Ｘは、２つのＨＥ−ＳＩＧ−Ｂコンテンツチャネルが各々同じ量のユーザフィールドを含むことに基づく。２つのＨＥ−ＳＩＧ−Ｂコンテンツチャネルに含まれるユーザフィールドの量が異なる場合、長いＨＥ−ＳＩＧ−Ｂコンテンツチャネルと長さにおいて揃うように、短いＨＥ−ＳＩＧ−Ｂコンテンツチャネルをガベッジビットでパディングする必要がある。従って、ＨＥ−ＳＩＧ−Ｂに含まれる実際のユーザフィールドの数量はＸ未満である。
【００５２】
８０２．１１ａｘではＤＣＭがオプションであることを考慮するに、ＤＣＭがサポートされていないとき、ＨＥ−ＳＩＧ−Ｂの最低の伝送レートはＭＣＳ０である。具体的に言えば、ＨＥ−ＳＩＧ−Ｂは１６×２６＝４１６ビットを含むことが許される。上述と同じ計算に基づき、１６０Ｍ又は８０Ｍの帯域幅において、呼び出されることが可能なステーションの最大数は２８である。４０Ｍ帯域幅又は２０Ｍ帯域幅でスケジュールされることが可能なステーションの最大数は、その帯域幅を割って得ることができ得るリソースユニットの数よりも多い。従って、スケジュールされることが可能なステーションの最大数は制限される必要がない。
【００５３】
要するに、過剰なステーションがダウンリンクＯＦＤＭＡでスケジュールされることに起因して、ＨＥ−ＳＩＧ−Ａ  １フィールド内のＨＥ−ＳＩＧ−Ｂシンボル数量フィールド（すなわち、Ｂ１８−Ｂ２１）によって指し示される最大数（具体的に言えば、１６）を、ＨＥ−ＳＩＧ−Ｂ内のシンボルの数が超えるという衝突を回避するために、以下のソリューションを使用し得る。
【００５４】
１．  ＤＣＭがＨＥ−ＳＩＧ−Ｂに使用されるとき、１６０Ｍ又は８０Ｍ帯域幅では、呼び出されることが可能なステーションの最大数は１２であり、４０Ｍ帯域幅では、呼び出されることが可能なステーションの最大数は１４である。あるいは、１６０Ｍ、８０Ｍ、又は４０Ｍの帯域幅で、スケジュールされることが可能なステーションの最大数は１２であり、他の帯域幅での制限はない。
【００５５】
２．  ＤＣＭがＨＥ−ＳＩＧ−Ｂに使用されないとき、１６０Ｍ又は８０Ｍの帯域幅で、呼び出されることが可能なステーションの最大数は２８であり、他の帯域幅での制限はない。
【００５６】
なお、上述のステーションの数は、ＨＥ−ＳＩＧ−Ｂのユーザフィールドの数に対応する。換言すれば、上述のステーションの数は、ダミーステーションの数と、伝送をスケジュールすることに実際に参加するステーションの数とを含む。
【００５７】
確かなことには、代わりの一ソリューションでは、ＤＣＭがＨＥ−ＳＩＧ−Ｂ伝送に使用されるのかにかかわらず、制限１に従って直接的にソリューションが実行されてもよい。換言すれば、ＤＣＭが伝送に使用されるのかにかかわらず、１６０Ｍ又は８０Ｍの帯域幅では、呼び出されることが可能なステーションの最大数は１２であり、４０Ｍ帯域幅では、呼び出されることが可能なステーションの最大数は１４である。あるいは、１６０Ｍ、８０Ｍ、又は４０Ｍの帯域幅で、スケジュールされることが可能なステーションの最大数は１２である。
【００５８】
実施形態３
上述の技術的問題を解決するために、本発明の一実施形態は、効率的にＨＥ−ＳＩＧ−Ｂの終了位置を指し示す（ＯＦＤＭシンボルの数量を取得することに等価）方法を提供する。送信器側で、無線物理層プロトコルデータユニットＰＰＤＵ送信方法は、以下のステップを含む。
【００５９】
３０１．  送信装置が、無線物理層プロトコルデータユニットＰＰＤＵを生成し、該ＰＰＤＵは、高効率−信号フィールドＢ  ＨＥ−ＳＩＧ−Ｂを含み、該ＨＥ−ＳＩＧ−Ｂは、共通フィールドcommon  field及びユーザ固有フィールドuser  specific  fieldを含み、該ユーザ固有フィールドuser  specific  fieldは、１つ以上のユーザフィールドを含む。加えて、最後のユーザフィールドの後に、このＨＥ−ＳＩＧ−Ｂは、ＨＥ−ＳＩＧ−Ｂが終了することを指し示すために使用される情報を含む。
【００６０】
３０２．  ＰＰＤＵを送信して、受信装置が、ＨＥ−ＳＩＧ−Ｂが終了することを指し示すために使用される情報に基づいて、ＨＥ−ＳＩＧ−Ｂの終了位置を決定するようにする。
【００６１】
特定の一例において、ＰＰＤＵは、高効率−信号フィールドＡを含み、このＨＥ−ＳＩＧ−Ａは、ＨＥ−ＳＩＧ−ＢのＯＦＤＭシンボルの数量を指し示すために使用されるフィールドを含む。ＨＥ−ＳＩＧ−ＢのＯＦＤＭシンボルの数量を指し示すために使用されるフィールドの特定の値が、ＨＥ−ＳＩＧ−Ｂが終了することを指し示すために使用される情報をＨＥ−ＳＩＧ−Ｂが含むことを指し示すために使用され、また、ＨＥ−ＳＩＧ−ＢのＯＦＤＭシンボルの数量を指し示すために使用されるフィールドの別の値（上記特定の値以外の任意の値）が、ＨＥ−ＳＩＧ−Ｂが終了することを指し示すために使用される情報をＨＥ−ＳＩＧ−Ｂが含まないことを指し示すために使用される。
【００６２】
より具体的には、ＨＥ−ＳＩＧ−Ｂが終了することを指し示すために使用される情報の長さは、ユーザフィールドの長さと同じである。一例において、ＨＥ−ＳＩＧ−Ｂが終了することを指し示すために使用される情報は、１１ビットの特殊なステーション識別子ＡＩＤ、例えば２０４４又は２０４３、で始まる。ＨＥ−ＳＩＧ−Ｂ内のシンボルの数量は、別の１０ビット、又は例えば７ビット若しくは８ビットなどの数ビット、又は全てのビットを使用することによって指し示され得る。この場合、受信を行うときに、ステーションは、当該ステーションが置かれたＨＥ−ＳＩＧ−Ｂコンテンツチャネルのみを正しくデコードすればよく、そうしてＨＥ−ＳＩＧ−Ｂ内のシンボルの数量を知る。受信器側では、対応して、無線物理層プロトコルデータユニットＰＰＤＵ受信方法が、以下のステップを含む。
【００６３】
３０３．  受信装置が、無線物理層プロトコルデータユニットＰＰＤＵを受信し、該ＰＰＤＵは、高効率−信号フィールドＢ  ＨＥ−ＳＩＧ−Ｂを含み、該ＨＥ−ＳＩＧ−Ｂは、共通フィールドcommon  field及びユーザ固有フィールドuser  specific  fieldを含み、該ユーザ固有フィールドuser  specific  fieldは、１つ以上のユーザフィールドを含む。加えて、最後のユーザフィールドの後に、ＨＥ−ＳＩＧ−Ｂは、ＨＥ−ＳＩＧ−Ｂが終了することを指し示すために使用される情報を含む。
【００６４】
３０４．  受信装置は、少なくとも、ＨＥ−ＳＩＧ−Ｂが終了することを指し示すために使用される情報に基づいて、ＨＥ−ＳＩＧ−Ｂの終了位置を決定する。
【００６５】
具体的には、ＰＰＤＵは、高効率−信号フィールドＡを含み、このＨＥ−ＳＩＧ−Ａは、ＨＥ−ＳＩＧ−Ｂ内のＯＦＤＭシンボルの数量を指し示すために使用されるフィールドを含み、ＨＥ−ＳＩＧ−Ｂ内のＯＦＤＭシンボルの数量を指し示すために使用される該フィールドは、特定の値又は別の値である。受信装置は、特定の値に基づいて、ＨＥ−ＳＩＧ−Ｂが終了することを指し示すために使用される情報を読み取って、ＨＥ−ＳＩＧ−Ｂの終了位置を決定する。あるいは、受信装置は、別の値によって指し示されるＨＥ−ＳＩＧ−Ｂ内のＯＦＤＭシンボルの数量に基づいて、ＨＥ−ＳＩＧ−Ｂの終了位置を決定する。
【００６６】
送信器側での方法にて説明したように、ＨＥ−ＳＩＧ−Ｂが終了することを指し示すために使用される情報の長さは、ユーザフィールドの長さと同じである。特定の一例において、ＨＥ−ＳＩＧ−Ｂが終了することを指し示すために使用される情報は、１１ビット長の特殊なステーション識別子ＡＩＤで始まる。
【００６７】
実施形態４
他の一実装にて、無線物理層プロトコルデータユニットＰＰＤＵ送信方法が提供され、この方法は以下のステップを含む。
【００６８】
４０１．  送信装置が、無線物理層プロトコルデータユニットＰＰＤＵを取得し、該ＰＰＤＵは、高効率−信号フィールドＡ  ＨＥ−ＳＩＧ−Ａ及び高効率−信号フィールドＢ  ＨＥ−ＳＩＧ−Ｂを含み、該ＨＥ−ＳＩＧ−Ａは、ＨＥ−ＳＩＧ−Ｂ内のＯＦＤＭシンボルの数量を指し示すために使用されるフィールド（例えば、フィールドＢ１８−Ｂ２１）を含む。
【００６９】
ＨＥ−ＳＩＧ−Ｂフィールド伝送に、異なるＭＣＳが使用されるとき、又はＤＣＭ（dual  carrier  modulation、二重搬送波変調）が使用されるのかで、又は異なる帯域幅が使用されるとき、ＨＥ−ＳＩＧ−Ｂ内のＯＦＤＭシンボルの数量を指し示すために使用されるフィールド内の同じ値が、ＯＦＤＭシンボルの異なる数量を指し示す。
【００７０】
４０２．  ＰＰＤＵを送信して、受信装置が、異なるＭＣＳ、ＤＣＭが使用されるのか、又は異なる帯域幅を参照して、及びＨＥ−ＳＩＧ−ＢのＯＦＤＭシンボルの数量を指し示すために使用されるフィールドの値に基づいて、ＨＥ−ＳＩＧ−Ｂ内のＯＦＤＭシンボルの数量を決定するようにする。
【００７１】
具体的には、ＨＥ−ＳＩＧ−ＢのＯＦＤＭシンボルの数量を指し示すために使用されるフィールドは、異なるケースに従ってＯＦＤＭシンボルの異なる量を指し示す。
【００７２】
ＨＥ−ＳＩＧ−Ｂ内のシンボルの数量＝ｃｅｉｌ（ＨＥ−ＳＩＧ−Ｂ内のＯＦＤＭシンボルの数量を指し示すために使用されるフィールドの値＋１）×係数因子であり、係数因子は、ＨＥ−ＳＩＧ−Ｂフィールド伝送に使用されるＭＣＳ、ＨＥ−ＳＩＧ−Ｂフィールド伝送にＤＣＭが使用されるのか、及びＨＥ−ＳＩＧ−Ｂフィールド伝送に使用される帯域幅に依存する。ＨＥ−ＳＩＧ−Ａは、そのＭＣＳがＨＥ−ＳＩＧ−Ｂフィールド伝送に使用されること、ＤＣＭが使用されるのか、及びその帯域幅が使用されることを指し示すインジケーションを含んでいる（例えば、ＨＥ−ＳＩＧ−Ａ  １フィールド内のＢ１−Ｂ３、Ｂ４、及びＢ１５−Ｂ１７ビットによって別々に指し示される）。
【００７３】
受信器側で、この方法は以下のステップを含む。
【００７４】
４０３．  無線物理層プロトコルデータユニットＰＰＤＵを受信し、該ＰＰＤＵは、高効率−信号フィールドＡ  ＨＥ−ＳＩＧ−Ａ及び高効率−信号フィールドＢ  ＨＥ−ＳＩＧ−Ｂを含み、該ＨＥ−ＳＩＧ−Ａは、ＨＥ−ＳＩＧ−Ｂ内のＯＦＤＭシンボルの数量を指し示すために使用されるフィールド（例えば、フィールドＢ１８−Ｂ２１）を含む。
【００７５】
具体的には、ＨＥ−ＳＩＧ−Ａは更に、ＨＥ−ＳＩＧ−Ｂに使用されるＭＣＳ、ＨＥ−ＳＩＧ−ＢにＤＣＭが使用されるか、又はＨＥ−ＳＩＧ−Ｂに使用される動作帯域幅、という情報のうちの１つ又は組み合わせを含み得る。
【００７６】
４０４．  受信装置が、異なるＭＣＳ、ＤＣＭが使用されるのか、又はＨＥ−ＳＩＧ−Ｂに使用される動作帯域幅を参照して、及びＨＥ−ＳＩＧ−ＢのＯＦＤＭシンボルの数量を指し示すために使用されるフィールドの値に基づいて、ＨＥ−ＳＩＧ−Ｂ内のＯＦＤＭシンボルの数量を決定する。
【００７７】
具体的な説明は以下の通りであり、ＨＥ−ＳＩＧ−Ｂフィールド伝送にＭＣＳ０及びＤＣＭが使用されるとき、各ＯＦＤＭシンボルに含まれるデータ副搬送波（パイロットビットを除く）の数量は１３ビットである。
【００７８】
ＨＥ−ＳＩＧ−Ｂフィールド伝送に、ＭＣＳ０が使用され、ＤＣＭが使用されないとき、又はＭＣＳ１及びＤＣＭが使用されるとき、各ＯＦＤＭシンボルに含まれるデータ副搬送波（パイロットビットを除く）の数量は２６ビットである。
【００７９】
ＨＥ−ＳＩＧ−Ｂフィールド伝送に、ＭＣＳ１が使用され、ＤＣＭが使用されないとき、又はＭＣＳ２及びＤＣＭが使用されるとき、各ＯＦＤＭシンボルに含まれるデータ副搬送波（パイロットビットを除く）の数量は５２ビットである。
【００８０】
例１：帯域幅は１６０Ｍ（１６０Ｍの２つのパンクチャリングモードを含む）である。
【００８１】
式１に基づき、例えば、現在の１６０Ｍ帯域幅が、最大で７４個のリソースユニットに分割され、ＨＥ−ＳＩＧ−Ｂコンテンツチャネルに含まれる情報ビットの数量は、式１でＮ＝４、ａ＝１、及びＺ＝３７として、１０１０ビットである。
【００８２】
従って、異なるＭＣＳが使用される上述のケースにおいて各ＯＦＤＭシンボルに含まれるデータ副搬送波の数に従って、及びＤＣＭが使用されるのかに従って、以下を得ることができ得る。
【００８３】
ＭＣＳ０及びＤＣＭがＨＥ−ＳＩＧ−Ｂフィールド伝送に使用される場合、ＨＥ−ＳＩＧ−Ｂ内に７８個のＯＦＤＭシンボルが必要とされる。
【００８４】
ＭＣＳ０（ＤＣＭなし）、又はＭＣＳ１及びＤＣＭ、がＨＥ−ＳＩＧ−Ｂフィールド伝送に使用される場合、ＨＥ−ＳＩＧ−Ｂ内に３９個のＯＦＤＭシンボルが必要とされる。
【００８５】
ＭＣＳ１（ＤＣＭなし）、又はＭＣＳ２及びＤＣＭ、がＨＥ−ＳＩＧ−Ｂフィールド伝送に使用される場合、ＨＥ−ＳＩＧ−Ｂ内に２０個のＯＦＤＭシンボルが必要とされる。
【００８６】
その他の場合には、ＨＥ−ＳＩＧ−Ｂ内のＯＦＤＭシンボルの必要数量は１６未満であり、その必要数量は、ＨＥ−ＳＩＧ−Ｂ内のＯＦＤＭシンボルの数量を指し示すために使用されるＨＥ−ＳＩＧ−Ａ  １内のフィールド（例えば、フィールドＢ１８−Ｂ２１）の長さによって制限されない。
【００８７】
上述の計算に基づき、帯域幅が１６０Ｍであり、ＭＣＳ０及びＤＣＭがＨＥ−ＳＩＧ−Ｂフィールド伝送に使用されるとき、係数因子は４．８７５である。具体的に言えば、ＨＥ−ＳＩＧ−Ｂ内のＯＦＤＭシンボルの数量＝ｃｅｉｌ｛（Ｂ１８−Ｂ２１の値＋１）×４．８７５｝である。具体的に、ＨＥ−ＳＩＧ−Ａ  １内のＢ１８−Ｂ２１の値と、Ｂ１８−Ｂ２１の値によって指し示されるＨＥ−ＳＩＧ−Ｂ内のＯＦＤＭシンボルの数量との間の対応関係を、以下の表１に示す。
【表３】
2020537434.tif 000005
【００８８】
帯域幅が１６０Ｍであり、ＨＥ−ＳＩＧ−Ｂフィールド伝送にＭＣＳ０が使用され、ＤＣＭは使用されないとき、又は帯域幅が１６０Ｍであり、ＭＣＳ１及びＤＣＭが使用されるとき、係数因子は２．４３７５である。具体的に言えば、ＨＥ−ＳＩＧ−Ｂ内のシンボルの数量＝ｃｅｉｌ｛（Ｂ１８−Ｂ２１の値＋１）×２．４３７５｝であり、上述の対応関係を、以下の表２に示す。
【表４】
2020537434.tif 000006
【００８９】
帯域幅が１６０Ｍであり、ＨＥ−ＳＩＧ−Ｂフィールド伝送にＭＣＳ１が使用され、ＤＣＭは使用されないとき、又は帯域幅が１６０Ｍであり、ＭＣＳ２及びＤＣＭが使用されるとき、係数因子は１．２５である。具体的に言えば、ＨＥ−ＳＩＧ−Ｂ内のシンボルの数量＝ｃｅｉｌ｛（Ｂ１８−Ｂ２１の値＋１）×１．２５｝であり、具体的な対応関係を、以下の表３に示す。
【表５】
2020537434.tif 000007
【００９０】
帯域幅が１６０Ｍであり、（ＭＣＳ及びＤＣＭのケースに従って、又は換言して、上述のケース以外に従って）ＨＥ−ＳＩＧフィールド伝送に別のレートが使用されるとき、係数因子は１である。換言すれば、他のケースでは、ＨＥ−ＳＩＧ−Ａ  １内のＢ１８−Ｂ２１の値は、Ｂ１８−Ｂ２１の値によって指し示されるＨＥ−ＳＩＧ−Ｂ内のＯＦＤＭシンボルの実際の数量と同じである。
【００９１】
例２：帯域幅は８０Ｍ（８０Ｍの２つのパンクチャリングモードを含む）である。
【００９２】
式１に基づき、例えば、８０Ｍ帯域幅が、最大で３７個のリソースユニットに分割され、ＨＥ−ＳＩＧ−Ｂコンテンツチャネルに含まれる情報ビットの数量は、式１でＮ＝２、ａ＝１、及びＺ＝１８として、５１１である。従って、異なるＭＣＳが使用される上述のケースにおいて各ＯＦＤＭシンボルに含まれるデータ副搬送波の数に従って、及びＤＣＭが使用されるのかに従って、以下を得ることができ得る。
【００９３】
８０Ｍ帯域幅で、ＭＣＳ０及びＤＣＭがＨＥ−ＳＩＧ−Ｂフィールド伝送に使用されるとき、ＨＥ−ＳＩＧ−Ｂ内に３９個のＯＦＤＭシンボルが必要とされる。８０Ｍの帯域幅で、ＤＣＭなしでＭＣＳ０がＨＥ−ＳＩＧ−Ｂフィールド伝送に使用されるとき、又はＭＣＳ１及びＤＣＭが使用されるとき、ＨＥ−ＳＩＧ−Ｂ内に２０個のＯＦＤＭシンボルが必要とされる。その他の場合には、ＨＥ−ＳＩＧ−Ｂ内のＯＦＤＭシンボルの必要数量は１６未満であり、換言すれば、その数量は、ＨＥ−ＳＩＧ−Ｂ内のシンボルの数量を指し示すために使用されるＨＥ−ＳＩＧ−Ａ  １内のフィールドによって指し示される値よりも小さい。従って、その必要数量は制限されない。
【００９４】
従って、上述の計算に基づき、帯域幅が８０Ｍであり、ＭＣＳ０及びＤＣＭがＨＥ−ＳＩＧ−Ｂフィールド伝送に使用されるとき、係数因子は２．４３７５である。具体的に言えば、ＨＥ−ＳＩＧ−Ｂ内のシンボルの数量＝ｃｅｉｌ｛（Ｂ１８−Ｂ２１の値＋１）×２．４３７５｝である。具体的には、ＨＥ−ＳＩＧ−Ａ  １内のＢ１８−Ｂ２１の値と、Ｂ１８−Ｂ２１の値によって指し示されるＨＥ−ＳＩＧ−Ｂ内のＯＦＤＭシンボルの数量との間の対応関係について、上述の表２に参照されたい。
【００９５】
ＨＥ−ＳＩＧ−Ｂフィールド伝送に、ＭＣＳ０（ＤＣＭなし）、又はＭＣＳ１及びＤＣＭが使用されるとき、係数因子は１．２５である。具体的に言えば、ＨＥ−ＳＩＧ−Ｂ内のシンボルの数量＝ｃｅｉｌ｛（Ｂ１８−Ｂ２１の値＋１）×１．２５｝であり、具体的な対応関係は、上述の表３に示されている。
【００９６】
（ＭＣＳ及びＤＣＭに応じて）ＨＥ−ＳＩＧフィールド伝送に別のレートが使用されるとき、係数因子は１である。換言すれば、ＨＥ−ＳＩＧ−Ａ  １内のＢ１８−Ｂ２１の値は、Ｂ１８−Ｂ２１の値によって指し示されるＨＥ−ＳＩＧ−Ｂ内のＯＦＤＭシンボルの実際の数量と同じである。
【００９７】
例３：帯域幅は４０Ｍである。
【００９８】
式１に基づき、例えば、最大４０Ｍの帯域幅が、最大で１９個のリソースユニットに分割され、ＨＥ−ＳＩＧ−Ｂコンテンツチャネルに含まれる情報ビットの数量は、式１でＮ＝１、ａ＝０、及びＺ＝９として、２５７である。従って、ＭＣＳ０及びＤＣＭがＨＥ−ＳＩＧ−Ｂフィールド伝送に使用されるとき、ＨＥ−ＳＩＧ−Ｂ内に２０個のＯＦＤＭシンボルが必要とされる。その他の場合には、ＨＥ−ＳＩＧ−Ｂ内のＯＦＤＭシンボルの必要数量は１６未満であり、その数量は、ＨＥ−ＳＩＧ−Ａ  １内のＨＥ−ＳＩＧ−Ｂシンボル数量フィールドによって制限されない。
【００９９】
従って、上述の計算に基づき、ＭＣＳ０及びＤＣＭがＨＥ−ＳＩＧ−Ｂフィールド伝送に使用されるとき、係数因子は１．２５である。具体的に言えば、ＨＥ−ＳＩＧ−Ｂ内のシンボルの数量＝ｃｅｉｌ｛（Ｂ１８−Ｂ２１の値＋１）×１．２５｝であり、具体的な対応関係は、表３に示されている。
【０１００】
（ＭＣＳ及びＤＣＭに応じて）ＨＥ−ＳＩＧフィールド伝送に別のレートが使用されるとき、係数因子は１である。換言すれば、ＨＥ−ＳＩＧ−Ａ  １内のＢ１８−Ｂ２１の値は、Ｂ１８−Ｂ２１の値によって指し示されるＨＥ−ＳＩＧ−Ｂ内のＯＦＤＭシンボルの実際の数量と同じである。
【０１０１】
例４：帯域幅は２０Ｍである。
【０１０２】
（ＭＣＳ及びＤＣＭに応じて）ＨＥ−ＳＩＧフィールド伝送に如何なるレートが使用されようと、係数因子は１である。換言すれば、帯域幅が２０Ｍであるとき、ＨＥ−ＳＩＧ−Ａ  １内のＢ１８−Ｂ２１の値は、Ｂ１８−Ｂ２１の値によって指し示されるＨＥ−ＳＩＧ−Ｂ内のＯＦＤＭシンボルの実際の数量と同じである。
【０１０３】
上述の４つのケースに基づき、特定の一実装において、８０２．１１ａｘプロトコルは、ＨＥ−ＳＩＧ−Ｂ内のシンボルの数量＝ｃｅｉｌ（ＨＥ−ＳＩＧ−Ａ内のＢ１８−Ｂ２１の値＋１）×係数因子を規定し、係数因子は、ＨＥ−ＳＩＧ−Ａフィールド内の、ＭＣＳフィールド、ＤＣＭフィールド、及び帯域幅フィールドに依存する。係数因子を乗じることによって得られる最大値がＨＥ−ＳＩＧ−Ｂ内のシンボルの必要数量よりも大きいならば、係数因子は、例えば４．８７５、２．４３７５、及び１．２５などの上述の値に限定されない。確かなことには、この最大値が過大である場合、ＨＥ−ＳＩＧ−Ｂ内に過剰な冗長シンボルが存在し、オーバーヘッドが増加する。
【０１０４】
他の一手法において、８０２．１１ａｘプロトコルは、ＨＥ−ＳＩＧ−Ｂ内のシンボルの数量＝ｃｅｉｌ（ＨＥ−ＳＩＧ−Ａ内のＢ１８−Ｂ２１の値＋１）×係数因子を規定し、係数因子は、ＨＥ−ＳＩＧ−Ａフィールド内の、ＭＣＳフィールド及びＤＣＭフィールドに依存する。係数因子は、最大帯域幅が１６０Ｍであるときに規定される係数因子に従い、２０Ｍ帯域幅は例外である。帯域幅が２０Ｍであるときには、係数因子は１である。
【０１０５】
他の代替的な一実装では：
８０２．１１ａｘドラフト２．０に基づいて、ＨＥ−ＳＩＧ−Ａ  １フィールド内にあって、ＨＥ−ＳＩＧ−Ｂ内のＯＦＤＭシンボルの数量を指し示すために使用されるフィールドＭ（すなわち、Ｂ１８−Ｂ２１）と、ＨＥ−ＳＩＧ−Ｂ圧縮を指し示すために使用されるフィールド（Ｂ２２）とが、ＨＥ−ＳＩＧ−Ｂ内のＯＦＤＭシンボルの数量を共同で指し示すように使用される。
【０１０６】
具体的には、ＨＥ−ＳＩＧ−Ｂ圧縮フィールドＢ２２＝０であるとき、ＨＥ−ＳＩＧ−Ｂ内のシンボルの数量は、ＨＥ−ＳＩＧ−Ｂフィールド（Ｂ１８−Ｂ２１）の値＋１に等しい。この場合、最小値は１であり、最大値は１６である。
【０１０７】
ＨＥ−ＳＩＧ−Ｂ圧縮フィールドＢ２２＝１であり、且つＨＥ−ＳＩＧ−Ｂフィールド（Ｂ１８−Ｂ２１）の値≦７であるとき、全帯域幅に参加しているＭＵ−ＭＩＭＯステーションの数量が、フィールドＭ（Ｂ１８−Ｂ２１）の値＋１に等しい。ＨＥ−ＳＩＧ−Ｂ圧縮フィールド（Ｂ２２）＝１であり、且つフィールドＭ（Ｂ１８−Ｂ２１）の値＞７であるとき、ＨＥ−ＳＩＧ−Ｂ内のＯＦＤＭシンボルの数量が、ＨＥ−ＳＩＧ−ＢフィールドＢ１８−Ｂ２１の値＋１＋８に等しい。この場合、最小値は１７であり、最大値は２４である。要するに、ＨＥ−ＳＩＧ−Ａ  １フィールド内のＨＥ−ＳＩＧ−ＢシンボルフィールドＢ１８−Ｂ２１及びＨＥ−ＳＩＧ−Ｂ圧縮フィールドＢ２２が共同で、ＨＥ−ＳＩＧ−Ｂ内のシンボルの数量が１から２４の範囲内であることを指し示す。
【０１０８】
特定の一例において、上述の指し示される値は、以下のケースとは別のＨＥ−ＳＩＧ−Ｂの伝送レートのみに適用可能であってもよく、すなわち、ＨＥ−ＳＩＧ−Ｂに、ＭＣＳ０及びＤＣＭが使用される、又はＭＣＳ０（ＤＣＭなし）とは別のレートが使用される、又はＭＣＳ１及びＤＣＭが使用される、というケースとは別のＨＥ−ＳＩＧ−Ｂの伝送レートのみに適用可能であってもよい。確かなことには、この値はまた、全ての伝送レートに適用可能としてもよい。
【０１０９】
他の一例において、上述の３つのケース、すなわち、ＭＣＳ０及びＤＣＭがＨＥ−ＳＩＧ−Ｂに使用される、又はＭＣＳ０（ＤＣＭなし）がＨＥ−ＳＩＧ−Ｂに使用される、又はＭＣＳ１及びＤＣＭがＨＥ−ＳＩＧ−Ｂに使用される、という３つのケースについて、これら３つのケースは、以下のケースを含む。
【０１１０】
上述のように、８０２．１１ａｘドラフト２．０に基づいて、ＨＥ−ＳＩＧ−Ａ  １フィールド内のＨＥ−ＳＩＧ−Ｂ  ＭＣＳフィールド（Ｂ１−Ｂ３）は、ＨＥ−ＳＩＧ−Ｂに使用されるＭＣＳを指し示すために使用される。Ｂ１−Ｂ３の値０から５は、それぞれ、ＨＥ−ＳＩＧ−Ｂに使用されるＭＣＳ０から５を指し示す。また、Ｂ１−Ｂ３の値６及び７は保留（reserved）ビットである。
【０１１１】
具体的には、Ｂ１−Ｂ３の値が０であるとき、その値は、ＭＣＳ０がＨＥ−ＳＩＧ−Ｂに使用されることを指し示し、この場合、ＨＥ−ＳＩＧ−Ｂ内のシンボルの数量は、ＨＥ−ＳＩＧ−Ａ  １フィールドＢ１８−Ｂ２１とＨＥ−ＳＩＧ−Ｂ圧縮フィールド（Ｂ２２）とによって共同で指し示される値である。この場合、最小値は１であり、最大値は２４である。
【０１１２】
Ｂ１−Ｂ３の値が６であるとき、その値は、ＭＣＳ０がＨＥ−ＳＩＧ−Ｂシンボルに使用されることを指し示し、この場合、ＨＥ−ＳＩＧ−Ｂ内のシンボルの数量は、ＨＥ−ＳＩＧ−Ａ  １フィールド（Ｂ１８−Ｂ２１）とＨＥ−ＳＩＧ−Ｂ圧縮フィールド（Ｂ２２）とによって共同で指し示される値＋２４である。この場合、最小値は２５であり、最大値は４８である。
【０１１３】
ＨＥ−ＳＩＧ−Ａ  １フィールド内のＤＣＭフィールド（Ｂ４）の値が１であるとき、それは、ＤＣＭがＨＥ−ＳＩＧ−Ｂに使用されることを指し示す。以下の３つの場合において、ＨＥ−ＳＩＧ−Ａ  １フィールドＢ１８−Ｂ２１とＨＥ−ＳＩＧ−Ｂ圧縮フィールドＢ２２とによって共同で指し示される値が係数因子２を乗じられた後に得られる値が、ＨＥ−ＳＩＧ−Ｂ内のシンボルの数量を指し示すために使用される。それ以外では、共同で指し示される値が、ＨＥ−ＳＩＧ−Ｂ内のシンボルの指し示された数量であり、又は係数因子１を乗じられる。以下の特定の場合が含まれる。
【０１１４】
Ｂ１−Ｂ３の値が０であり、且つＢ４＝１であるとき、それは、ＭＣＳ０及びＤＣＭがＨＥ−ＳＩＧ−Ｂシンボルに使用されることを指し示し、この場合、ＨＥ−ＳＩＧ−Ｂ内のシンボルの数量は、（ＨＥ−ＳＩＧ−Ａ  １フィールドＢ１８−Ｂ２１とＨＥ−ＳＩＧ−Ｂの圧縮フィールドＢ２２とによって共同で指し示される値）×２である。この場合、最小値は２であり、最大値は４８である。
【０１１５】
Ｂ１−Ｂ３の値が６であり、且つＢ４＝１であるとき、それは、ＭＣＳ０及びＤＣＭがＨＥ−ＳＩＧ−Ｂシンボルに使用されることを指し示し、この場合、ＨＥ−ＳＩＧ−Ｂ内のシンボルの数量は、（ＨＥ−ＳＩＧ−Ａ  １フィールドＢ１８−Ｂ２１とＨＥ−ＳＩＧ−Ｂの圧縮フィールドＢ２２とによって共同で指し示される値＋２４）×２である。この場合、最小値は５０であり、最大値は９６である。
【０１１６】
Ｂ１−Ｂ３の値が１であり、且つＢ４＝１であるとき、それは、ＭＣＳ１及びＤＣＭがＨＥ−ＳＩＧ−Ｂシンボルに使用されることを指し示し、この場合、ＨＥ−ＳＩＧ−Ｂ内のシンボルの数量は、（ＨＥ−ＳＩＧ−Ａ  １フィールドＢ１８−Ｂ２１とＨＥ−ＳＩＧ−Ｂの圧縮フィールドＢ２２とによって共同で指し示される値）×２である。この場合、最小値は２であり、最大値は４８である。
【０１１７】
他の代替的な一実装では：
８０２．１１ａｘドラフト２．０に基づいて、ＨＥ−ＳＩＧ−Ａ  １フィールド内のＨＥ−ＳＩＧ−Ｂ  ＭＣＳフィールド（Ｂ１−Ｂ３）は、ＨＥ−ＳＩＧ−Ｂに使用されるＭＣＳを指し示すために使用される。Ｂ１−Ｂ３の値０から５は、それぞれ、ＨＥ−ＳＩＧ−Ｂに使用されるＭＣＳ０から５を指し示す。また、Ｂ１−Ｂ３の値６及び７は保留ビットである。
【０１１８】
Ｂ１−Ｂ３の値が０であるとき、その値は、ＭＣＳ０がＨＥ−ＳＩＧ−Ｂに使用されることを指し示し、この場合、ＨＥ−ＳＩＧ−Ｂ内のシンボルの数量は、ＨＥ−ＳＩＧ−Ａ  １フィールドＢ１８−Ｂ２１の値＋１である。この場合、最小値は１であり、最大値は１６である。
【０１１９】
Ｂ１−Ｂ３の値が６であるとき、その値は、ＭＣＳ０がＨＥ−ＳＩＧ−Ｂシンボルに使用されることを示し、この場合、ＨＥ−ＳＩＧ−Ｂ内のシンボルの数量は、ＨＥ−ＳＩＧ−Ａ  １フィールドＢ１８−Ｂ２１の値＋１＋１６である。この場合、最小値は１７であり、最大値は３２である。
【０１２０】
Ｂ１−Ｂ３の値が７であるとき、その値は、ＭＣＳ０がＨＥ−ＳＩＧ−Ｂシンボルに使用されることを指し示し、この場合、ＨＥ−ＳＩＧ−Ｂ内のシンボルの数量は、ＨＥ−ＳＩＧ−Ａ  １フィールドＢ１８−Ｂ２１の値＋１＋３２＋１６である。この場合、最小値は３３であり、最大値は４８である。
【０１２１】
ＨＥ−ＳＩＧ−Ａ  １フィールド内のＤＣＭフィールドＢ４が１であるとき、それは、ＤＣＭがＨＥ−ＳＩＧ−Ｂに使用されることを指し示し、上述の３つの場合において、ＨＥ−ＳＩＧ−Ａ  １フィールド内のＢ１８−Ｂ２１によって（単独で）指し示されるシンボルの数量が、係数因子２を乗じられる。それ以外では、数量は変更されないままであり、又は数量に係数因子１を乗じられ、これは具体的に、以下の場合を含む。
【０１２２】
Ｂ１−Ｂ３の値が０であり、且つＢ４＝１であるとき、それは、ＭＣＳ０がＨＥ−ＳＩＧ−Ｂシンボルに使用されることを指し示し、この場合、ＨＥ−ＳＩＧ−Ｂ内のシンボルの数量は、（ＨＥ−ＳＩＧ−Ａ１フィールド内のＢ１８−Ｂ２１の値＋１）×２である。この場合、最小値は２であり、最大値は３２である。
【０１２３】
Ｂ１−Ｂ３の値が６であり、且つＢ４＝１であるとき、それは、ＭＣＳ０がＨＥ−ＳＩＧ−Ｂシンボルに使用されることを指し示し、この場合、ＨＥ−ＳＩＧ−Ｂ内のシンボルの数量は、（ＨＥ−ＳＩＧ−Ａ  １フィールド内のＢ１８−Ｂ２１の値＋１＋１６）×２である。この場合、最小値は３４であり、最大値は６４である。
【０１２４】
Ｂ１−Ｂ３の値が７であり、且つＢ４＝１であるとき、それは、ＭＣＳ０がＨＥ−ＳＩＧ−Ｂシンボルに使用されることを指し示し、この場合、ＨＥ−ＳＩＧ−Ｂ内のシンボルの数量は、（ＨＥ−ＳＩＧ−Ａ  １フィールド内のＢ１８−Ｂ２１の値＋１＋３２）×２である。この場合、最小値は６６であり、最大値は９６である。
【０１２５】
本発明の他の一実装は、上述の方法の１つを実行することができる装置を提供する。オプションで、送信装置５００は、ＡＰ、又はＡＰ上のチップであり、受信装置６００は、端末、又は端末上のチップである。
【０１２６】
本発明の実施形態は、様々な通信装置に適用されることができる。
【０１２７】
図５を参照するに、送信装置５００の送信器は、送信回路、電力コントローラ、エンコーダ、及びアンテナを含み得る。加えて、装置５００は更に受信器を含んでいてもよい。該受信器は、受信回路、電力コントローラ、デコーダ、及びアンテナを含み得る。
【０１２８】
プロセッサは、ＣＰＵとして参照されることもある。メモリは、読み出し専用メモリ及びランダムアクセスメモリを含み得るとともに、命令及びデータをプロセッサに提供し得る。メモリの一部は更に、不揮発性ランダムアクセスメモリ（ＮＶＲＡＭ）を含み得る。特定の一用途において、装置５００は、例えばネットワーク装置などの無線通信装置であってもよいし、あるいはそれに内蔵されてもよく、また、装置５００と遠隔地との間でのデータ送受信を可能にするために、送信回路及び受信回路を含むキャリアを更に含んでもよい。送信回路及び受信回路は、アンテナに結合され得る。装置５００のコンポーネントは、バスを用いることによって共に結合され、バスは、データバスに加えて、電源バス、制御バス、及びステータス信号バスを更に含む。確かなことには、バスは、別の接続回路に置き換えられてもよい。しかしながら、説明の明瞭さのため、図では種々のバスをバスとして示している。異なる特定の製造物では、デコーダが処理ユニットと統合され得る。
【０１２９】
プロセッサは、本発明の方法実施形態にて開示されたステップ及び論理ブロック図を実装又は実行することができる。汎用プロセッサはマイクロプロセッサであることができ、あるいは、プロセッサは、従来からのプロセッサ、デコーダ、又はこれらに類するものであってもよい。本発明の実施形態を参照して開示された方法におけるステップは、ハードウェアプロセッサによって直接実行されてもよいし、あるいは復号化プロセッサにてハードウェア及びソフトウェアモジュールの組み合わせを用いることによって実行されてもよい。ソフトウェアモジュールは、例えばランダムアクセスメモリ、フラッシュメモリ、読み出し専用メモリ、プログラマブル読み出し専用メモリ、電気的消去・プログラム可能メモリ、又はレジスタなどの、当該技術分野における成熟した記憶媒体内に置かれ得る。
【０１３０】
理解されるべきことには、本発明の実施形態において、プロセッサは、中央演算処理ユニット（Central  Processing  Unit、略して“ＣＰＵ”）であってもよいし、あるいはプロセッサは、別の汎用プロセッサ、デジタル信号プロセッサ（ＤＳＰ）、特定用途向け集積回路（ＡＳＩＣ）、フィールドプログラマブルゲートアレイ（ＦＰＧＡ）若しくは別のプログラマブル論理デバイス、ディスクリートのゲート若しくはトランジスタ論理デバイス、ディスクリートハードウェアコンポーネント、又はこれらに類するものであってもよい。
汎用プロセッサはマイクロプロセッサであってもよく、あるいはプロセッサは、任意の従来プロセッサ又はそれらに類するものであってもよい。
【０１３１】
メモリは、読み出し専用メモリ及びランダムアクセスメモリを含み得るとともに、命令及びデータをプロセッサに提供し得る。メモリの一部は更に、不揮発性ランダムアクセスメモリを含み得る。例えば、メモリは更に、デバイスタイプに関する情報を格納し得る。
【０１３２】
バスシステムは、データバスに加えて、電源バス、制御バス、及びステータス信号バス、及びこれらに類するものを更に含み得る。しかしながら、説明の明瞭さのため、図では種々のバスをバスシステムとして示している。
【０１３３】
一実装プロセスにおいて、上述の方法におけるステップは、プロセッサ内のハードウェアの集積論理回路を使用することによって、又はソフトウェア形態の命令を使用することによって実装され得る。本発明の実施形態を参照して開示された方法におけるステップは、ハードウェアプロセッサによって直接実行されてもよいし、あるいはプロセッサにてハードウェア及びソフトウェアモジュールの組み合わせを用いることによって実行されてもよい。ソフトウェアモジュールは、例えばランダムアクセスメモリ、フラッシュメモリ、読み出し専用メモリ、プログラマブル読み出し専用メモリ、電気的消去・プログラム可能メモリ、又はレジスタなどの、当該技術分野における成熟した記憶媒体内に置かれ得る。記憶媒体がメモリ内に配置され、そして、プロセッサが、メモリ内の情報を読み出し、プロセッサのハードウェアと組み合わせて、上述の方法におけるステップを実行する。繰り返しを避けるために、詳細をここで再び説明することはしない。
【０１３４】
本発明のこの実施形態に従った送信装置５００は、本発明の実施形態での方法における送信端（例えば、ＡＰ）に対応しているとし得る。また、送信装置５００の全てのユニットすなわちモジュール、並びに上述の及び他の動作及び／又は機能が別々に実装のうち対応する手順を実行することが意図される。簡潔さのため、詳細をここで説明することはしない。
【０１３５】
図６は、本発明の一実施形態に従った受信装置６００の概略ブロック図である。受信装置６００は、無線ローカルエリアネットワークに適用され、装置６００は：
バス６１０、ただし、確かなことには、バス６１０は別の接続回路で置き換えられてもよい；
バスに接続されたプロセッサ６２０；
バスに接続されたメモリ６３０；及び
バスに接続された受信器６４０、
を含んでいる。
【０１３６】
プロセッサは、バスを使用することによってメモリに記憶されたプログラムを呼び出して、該プログラムを上述の実装形態にて述べた方法のために使用する。詳細をここで再び説明することはしない。
【０１３７】
オプションで、送信端はネットワーク装置であり、装置６００は端末装置である。
【０１３８】
本発明の実施形態は、種々の通信装置に適用されることができる。
【０１３９】
装置６００の受信器は、受信回路、電力コントローラ、デコーダ、及びアンテナを含むことができ、また、装置６００は更に送信器を含んでいてもよく、該送信器は、送信回路、電力コントローラ、エンコーダ、及びアンテナを含み得る。
【０１４０】
プロセッサは、ＣＰＵとして参照されることもある。メモリは、読み出し専用メモリ及びランダムアクセスメモリを含み得るとともに、命令及びデータをプロセッサに提供し得る。メモリの一部は更に、不揮発性ランダムアクセスメモリ（ＮＶＲＡＭ）を含み得る。特定の一用途において、装置６００は、例えば端末装置などの無線通信装置であってもよいし、あるいはそれに内蔵されてもよく、また、装置６００と遠隔地との間でのデータ送受信を可能にするために、送信回路及び受信回路を含むキャリアを更に含んでもよい。送信回路及び受信回路は、アンテナに結合され得る。装置６００のコンポーネントは、バスを用いることによって共に結合され、バスは、データバスに加えて、電源バス、制御バス、及びステータス信号バスを更に含む。しかしながら、説明の明瞭さのため、図では種々のバスをバスとして示している。異なる特定の製造物では、デコーダが処理ユニットと統合され得る。
【０１４１】
プロセッサは、本発明の方法実施形態にて開示されたステップ及び論理ブロック図を実装又は実行することができる。汎用プロセッサはマイクロプロセッサであることができ、あるいは、プロセッサは、従来からのプロセッサ、デコーダ、又はこれらに類するものであってもよい。本発明の実施形態を参照して開示された方法におけるステップは、ハードウェアプロセッサによって直接実行されてもよいし、あるいは復号化プロセッサにてハードウェア及びソフトウェアモジュールの組み合わせを用いることによって実行されてもよい。ソフトウェアモジュールは、例えばランダムアクセスメモリ、フラッシュメモリ、読み出し専用メモリ、プログラマブル読み出し専用メモリ、電気的消去・プログラム可能メモリ、又はレジスタなどの、当該技術分野における成熟した記憶媒体内に置かれ得る。
【０１４２】
理解されるべきことには、本発明の実施形態において、プロセッサは、中央演算処理ユニット（Central  Processing  Unit、略して“ＣＰＵ”）であってもよいし、あるいはプロセッサは、別の汎用プロセッサ、デジタル信号プロセッサ（ＤＳＰ）、特定用途向け集積回路（ＡＳＩＣ）、フィールドプログラマブルゲートアレイ（ＦＰＧＡ）若しくは別のプログラマブル論理デバイス、ディスクリートのゲート若しくはトランジスタ論理デバイス、ディスクリートハードウェアコンポーネント、又はこれらに類するものであってもよい。
汎用プロセッサはマイクロプロセッサであってもよく、あるいはプロセッサは、任意の従来プロセッサ又はそれらに類するものであってもよい。
【０１４３】
メモリは、読み出し専用メモリ及びランダムアクセスメモリを含み得るとともに、命令及びデータをプロセッサに提供し得る。メモリの一部は更に、不揮発性ランダムアクセスメモリを含み得る。例えば、メモリは更に、デバイスタイプに関する情報を格納し得る。
【０１４４】
バスシステムは、データバスに加えて、電源バス、制御バス、及びステータス信号バス、及びこれらに類するものを更に含み得る。しかしながら、説明の明瞭さのため、図では種々のバスをバスシステムとして示している。
【０１４５】
一実装プロセスにおいて、上述の方法におけるステップは、プロセッサ内のハードウェアの集積論理回路を使用することによって、又はソフトウェア形態の命令を使用することによって実装され得る。本発明の実施形態を参照して開示された方法におけるステップは、ハードウェアプロセッサによって直接実行されてもよいし、あるいはプロセッサにてハードウェア及びソフトウェアモジュールの組み合わせを用いることによって実行されてもよい。ソフトウェアモジュールは、例えばランダムアクセスメモリ、フラッシュメモリ、読み出し専用メモリ、プログラマブル読み出し専用メモリ、電気的消去・プログラム可能メモリ、又はレジスタなどの、当該技術分野における成熟した記憶媒体内に置かれ得る。記憶媒体がメモリ内に配置され、そして、プロセッサが、メモリ内の情報を読み出し、プロセッサのハードウェアと組み合わせて、上述の方法におけるステップを実行する。繰り返しを避けるために、詳細をここで再び説明することはしない。
【０１４６】
本発明のこの実施形態に従った装置６００は、本発明の実施形態での方法における受信端（例えば、端末装置）に対応しているとし得る。また、装置６００の全てのユニットすなわちモジュール、並びに上述の及び他の動作及び／又は機能が別々に上述の実装のうち対応する手順を実行することが意図される。簡潔さのため、詳細をここで説明することはしない。
【０１４７】
理解されるべきことには、上述のプロセスのシーケンス番号は、本発明の実施形態における実行シーケンスを意味するものはない。プロセスの実行シーケンスは、プロセスの機能及び内部論理に基づいて決定されるべきであり、本発明の実施形態の実装プロセスに対する限定として解釈されるべきでない。
【０１４８】
当業者が認識し得ることには、この明細書に開示された実施形態を参照して説明された例におけるユニット及びアルゴリズムステップは、電子ハードウェア、又はコンピュータソフトウェアと電子ハードウェアとの組み合わせによって実装されることができる。機能がハードウェアによって実行されるのか、それともソフトウェアによって実行されるのかは、技術的ソリューションの特定の用途及び設計制約に依存する。当業者は、特定の用途ごとに、記載された機能を実現するために異なる方法を用いることができるのであり、その実装が本発明の範囲を超えるものであると考えるべきではない。
【０１４９】
当業者によってはっきりと理解され得ることには、簡便で簡潔な説明の目的で、記載されたシステム、装置、及びユニットの詳細な作動プロセスについては、上述の方法実施形態における対応するプロセスを参照されたい。詳細をここで再び説明することはしない。
【０１５０】
この出願にて提供されたこれら幾つかの実施形態において、理解されるべきことには、開示されたシステム、装置、及び方法は、他のやり方で実装されてもよい。例えば、記載された装置実施形態は、単なる一例である。例えば、ユニット分割は、単なる論理機能分割であり、実際の実装においては他の分割とし得る。例えば、複数のユニット又はコンポーネントが、別のシステムへと結合又は統合されてもよいし、あるいは一部の機構が無視されたり実行されなかったりしてもよい。また、表示又は説明された相互的な結合、直接的な結合、又は通信接続は、何らかのインタフェースを使用して実装されてもよい。これらの装置又はユニットの間の間接的な結合又は通信接続は、電子的、機械的、又は他の形態で実装され得る。
【０１５１】
別々の部分として記載されたユニットは、物理的に分離されてもよいし、されなくてもよく、ユニットとして表示された部分は、物理的なユニットであってもよいし、なくてもよく、１つの位置に置かれてもよいし、あるいは複数のネットワークユニット上に分散されてもよい。実施形態のソリューションの目的を達成するように、実際の要求に従ってユニットの一部又は全てが選択され得る。
【０１５２】
また、本発明の実施形態における複数の機能ユニットが、１つの処理ユニットへと統合されてもよいし、あるいはそれらのユニットの各々が、物理的に単独で存在してもよいし、あるいは２つ以上のユニットが１つのユニットへと統合されてもよい。
【０１５３】
機能がソフトウェア機能ユニットの形態で実装されて、独立したプロダクトとして販売又は使用されるとき、それらの機能はコンピュータ読み取り可能記憶媒体に格納されてもよい。このような理解に基づき、本発明の技術的ソリューションは本質的に、又は先行技術に対して寄与する部分は、又は技術的ソリューションの一部は、ソフトウェアプロダクトの形態で実装され得る。コンピュータソフトウェアプロダクトは、記憶媒体に格納されるとともに、本発明の実施形態における記載された方法のステップの全て又は一部を実行するようにコンピュータ装置（これは、パーソナルコンピュータ、サーバ、又は送信端、又はこれらに類するものとし得る）又はプロセッサに命令する幾つかの命令を含む。上述の記憶媒体は、例えばＵＳＢフラッシュドライブ、リムーバブルハードディスク、読み出し専用メモリ（ＲＯＭ；Read-Only  Memory）、ランダムアクセスメモリ（ＲＡＭ；Random  Access  Memory）、磁気ディスク、又は光ディスクなどの、プログラムコードを記憶することができる様々な媒体を含む。
【０１５４】
以上の説明は、単に、本発明の特定の実施形態であり、本発明の保護範囲を限定することを意図したものではない。本発明にて開示された技術範囲内で当業者によって容易に考え付かれる如何なる変形又は置換も、本発明の保護範囲に入るものである。故に、本発明の保護範囲は、請求項の保護範囲次第のものである。
【図１】
2020537434.tif 000008
【図２】
2020537434.tif 000009
【図３】
2020537434.tif 000010
【図４】
2020537434.tif 000011
【図５】
2020537434.tif 000012
【図６】
2020537434.tif 000013
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
無線物理層プロトコルデータユニット（ＰＰＤＵ）送信方法であって、
送信装置により、無線物理層プロトコルデータユニット（ＰＰＤＵ）を取得することであり、前記ＰＰＤＵは、高効率−信号フィールドＡ（ＨＥ−ＳＩＧ−Ａ）及び高効率−信号フィールドＢ（ＨＥ−ＳＩＧ−Ｂ）を含み、前記ＨＥ−ＳＩＧ−Ａは、前記ＨＥ−ＳＩＧ−Ｂ内のＯＦＤＭシンボルの数量を指し示すために使用されるフィールドを含み、
前記フィールドの値が特定の値であるとき、該値は、前記ＨＥ−ＳＩＧ−Ｂに含まれるＯＦＤＭシンボルの前記数量が１６以上であることを指し示すために使用され、前記フィールドの値が別の値であるとき、該値は、前記ＨＥ−ＳＩＧ−Ｂに含まれるＯＦＤＭシンボルの前記数量を指し示すために使用される、
ＰＰＤＵを取得することと、
前記ＰＰＤＵを送信することと、
を有する方法。
【請求項２】
前記ＨＥ−ＳＩＧ−Ｂ内のＯＦＤＭシンボルの前記数量を指し示すために使用される前記フィールドは、前記ＨＥ−ＳＩＧ−Ａ内のＢ１８−Ｂ２１であり、
前記Ｂ１８−Ｂ２１の値が０から１４のうちのいずれか１つであるとき、前記ＨＥ−ＳＩＧ−Ｂに含まれるＯＦＤＭシンボルの前記数量は、前記Ｂ１８−Ｂ２１の値＋１に等しく、前記Ｂ１８−Ｂ２１の値が１５であるとき、該値は、前記ＨＥ−ＳＩＧ−Ｂに含まれるＯＦＤＭシンボルの前記数量が１６以上であることを指し示すために使用される、
請求項１に記載の方法。
【請求項３】
前記ＨＥ−ＳＩＧ−Ａは更にＢ２２を含み、前記Ｂ２２の値が０であるとき、前記Ｂ１８−Ｂ２１の前記値は、前記ＨＥ−ＳＩＧ−Ｂ内のＯＦＤＭシンボルの数量を指し示すために使用され、前記Ｂ２２の値が１であるとき、前記Ｂ１８−Ｂ２１の前記値は、マルチユーザ多入力多出力伝送に参加しているステーションの数量を指し示すために使用される、請求項２に記載の方法。
【請求項４】
無線物理層プロトコルデータユニット（ＰＰＤＵ）受信方法であって、
無線物理層プロトコルデータユニット（ＰＰＤＵ）を受信することであり、前記ＰＰＤＵは、高効率−信号フィールドＡ（ＨＥ−ＳＩＧ−Ａ）及び高効率−信号フィールドＢ（ＨＥ−ＳＩＧ−Ｂ）を含み、前記ＨＥ−ＳＩＧ−Ａは、前記ＨＥ−ＳＩＧ−Ｂ内のＯＦＤＭシンボルの数量を指し示すために使用されるフィールドを含み、前記フィールドの値が特定の値であるとき、該値は、前記ＨＥ−ＳＩＧ−Ｂに含まれるＯＦＤＭシンボルの前記数量が１６以上であることを指し示すために使用され、前記フィールドの値が別の値であるとき、該値は、前記ＨＥ−ＳＩＧ−Ｂに含まれるＯＦＤＭシンボルの前記数量を指し示すために使用される、
ＰＰＤＵを受信することと、
受信された前記ＨＥ−ＳＩＧ−Ａに基づいて前記ＨＥ−ＳＩＧ−Ｂ内のＯＦＤＭシンボルの前記数量又は前記ＨＥ−ＳＩＧ−Ｂフィールドの終了位置を決定することと、
を有する方法。
【請求項５】
前記ＨＥ−ＳＩＧ−Ｂ内のＯＦＤＭシンボルの前記数量を指し示すために使用される前記フィールドは、前記ＨＥ−ＳＩＧ−Ａ内のＢ１８−Ｂ２１であり、
受信された前記ＨＥ−ＳＩＧ−Ａに基づいて前記ＨＥ−ＳＩＧ−Ｂ内のＯＦＤＭシンボルの前記数量又は前記ＨＥ−ＳＩＧ−Ｂフィールドの終了位置を決定することは、
前記Ｂ１８−Ｂ２１の値が０から１４のうちのいずれかの値である場合に、続く前記ＨＥ−ＳＩＧ−Ｂフィールド内のＯＦＤＭシンボルの数量Ｍを直接決定し、Ｍは、前記Ｂ１８−Ｂ２１の前記の値＋１であり、前記Ｂ１８−Ｂ２１の値が１５である場合には、前記ＨＥ−ＳＩＧ−Ｂ内の共通フィールドを読み取ることによってステーション数量情報を取得し、前記ステーション数量情報に基づいて前記ＨＥ−ＳＩＧ−Ｂに含まれるＯＦＤＭシンボルの前記数量を推測する、
ことを含む、
請求項４に記載の方法。
【請求項６】
前記ＨＥ−ＳＩＧ−Ａは更にＢ２２を含み、前記Ｂ２２の値が０であるとき、前記Ｂ１８−Ｂ２１の前記値は、前記ＨＥ−ＳＩＧ−Ｂ内のシンボルの数量を指し示すために使用され、前記Ｂ２２の前記値が１であるとき、前記Ｂ１８−Ｂ２１の前記値は、マルチユーザ多入力多出力伝送に参加しているステーションの数量を指し示すために使用される、請求項５に記載の方法。
【請求項７】
無線物理層プロトコルデータユニット（ＰＰＤＵ）送信装置であって、
無線物理層プロトコルデータユニット（ＰＰＤＵ）を取得するように構成された取得モジュールであり、前記ＰＰＤＵは、高効率−信号フィールドＡ（ＨＥ−ＳＩＧ−Ａ）及び高効率−信号フィールドＢ（ＨＥ−ＳＩＧ−Ｂ）を含み、前記ＨＥ−ＳＩＧ−Ａは、前記ＨＥ−ＳＩＧ−Ｂ内のＯＦＤＭシンボルの数量を指し示すために使用されるフィールドを含み、
前記フィールドの値が特定の値であるとき、該値は、前記ＨＥ−ＳＩＧ−Ｂに含まれるＯＦＤＭシンボルの前記数量が１６以上であることを指し示すために使用され、前記フィールドの値が別の値であるとき、該値は、前記ＨＥ−ＳＩＧ−Ｂに含まれるＯＦＤＭシンボルの前記数量を指し示すために使用される、
取得モジュールと、
前記ＰＰＤＵを送信するように構成された送信モジュールと、
を有する装置。
【請求項８】
前記ＨＥ−ＳＩＧ−Ｂ内のＯＦＤＭシンボルの前記数量を指し示すために使用される前記フィールドは、前記ＨＥ−ＳＩＧ−Ａ内のＢ１８−Ｂ２１であり、
前記Ｂ１８−Ｂ２１の値が０から１４のうちのいずれか１つであるとき、前記ＨＥ−ＳＩＧ−Ｂに含まれるＯＦＤＭシンボルの前記数量は、前記Ｂ１８−Ｂ２１の値＋１に等しく、前記Ｂ１８−Ｂ２１の値が１５であるとき、該値は、前記ＨＥ−ＳＩＧ−Ｂに含まれるＯＦＤＭシンボルの前記数量が１６以上であることを指し示すために使用される、
請求項７に記載の装置。
【請求項９】
前記ＨＥ−ＳＩＧ−Ａは更にＢ２２を含み、前記Ｂ２２の値が０であるとき、前記Ｂ１８−Ｂ２１の前記値は、前記ＨＥ−ＳＩＧ−Ｂ内のＯＦＤＭシンボルの数量を指し示すために使用され、前記Ｂ２２の前記値が１であるとき、前記Ｂ１８−Ｂ２１の前記値は、マルチユーザ多入力多出力伝送に参加しているステーションの数量を指し示すために使用される、請求項８に記載の装置。
【請求項１０】
無線物理層プロトコルデータユニット（ＰＰＤＵ）受信装置であって、
無線物理層プロトコルデータユニット（ＰＰＤＵ）を受信するように構成された受信モジュールであり、前記ＰＰＤＵは、高効率−信号フィールドＡ（ＨＥ−ＳＩＧ−Ａ）及び高効率−信号フィールドＢ（ＨＥ−ＳＩＧ−Ｂ）を含み、前記ＨＥ−ＳＩＧ−Ａは、前記ＨＥ−ＳＩＧ−Ｂ内のＯＦＤＭシンボルの数量を指し示すために使用されるフィールドを含み、前記フィールドの値が特定の値であるとき、該値は、前記ＨＥ−ＳＩＧ−Ｂに含まれるＯＦＤＭシンボルの前記数量が１６以上であることを指し示すために使用され、前記フィールドの値が別の値であるとき、該値は、前記ＨＥ−ＳＩＧ−Ｂに含まれるＯＦＤＭシンボルの前記数量を指し示すために使用される、受信モジュールと、
受信された前記ＨＥ−ＳＩＧ−Ａに基づいて前記ＨＥ−ＳＩＧ−Ｂ内のＯＦＤＭシンボルの前記数量又は前記ＨＥ−ＳＩＧ−Ｂフィールドの終了位置を決定するように構成された処理モジュールと、
を有する装置。
【請求項１１】
前記ＨＥ−ＳＩＧ−Ｂ内のＯＦＤＭシンボルの前記数量を指し示すために使用される前記フィールドは、前記ＨＥ−ＳＩＧ−Ａ内のＢ１８−Ｂ２１であり、
前記処理モジュールが、受信された前記ＨＥ−ＳＩＧ−Ａに基づいて前記ＨＥ−ＳＩＧ−Ｂ内のＯＦＤＭシンボルの前記数量又は前記ＨＥ−ＳＩＧ−Ｂフィールドの終了位置を決定することは、
前記Ｂ１８−Ｂ２１の値が０から１４のうちのいずれかの値である場合、続く前記ＨＥ−ＳＩＧ−Ｂフィールド内のＯＦＤＭシンボルの数量Ｍが直接決定され、Ｍは、ＨＥ−ＳＩＧ−Ａ  １フィールド内のＨＥ−ＳＩＧ−Ｂシンボル数量フィールド（すなわち、前記Ｂ１８−Ｂ２１）の値＋１であり、前記Ｂ１８−Ｂ２１の前記値が１５である場合に、前記ＨＥ−ＳＩＧ−Ｂ内の共通フィールドを読み取ることによってステーション数量情報が取得され、前記ステーション数量情報に基づいて前記ＨＥ−ＳＩＧ−Ｂに含まれるＯＦＤＭシンボルの前記数量が推測される、
ことを含む、
請求項１０に記載の装置。
【請求項１２】
前記ＨＥ−ＳＩＧ−Ａは更にＢ２２を含み、前記Ｂ２２の値が０であるとき、前記Ｂ１８−Ｂ２１の前記値は、前記ＨＥ−ＳＩＧ−Ｂ内のシンボルの数量を指し示すために使用され、前記Ｂ２２の前記値が１であるとき、前記Ｂ１８−Ｂ２１の前記値は、マルチユーザ多入力多出力伝送に参加しているステーションの数量を指し示すために使用される、請求項１１に記載の装置。
【手続補正２】
【補正対象書類名】明細書
【補正対象項目名】０００８
【補正方法】変更
【補正の内容】
【０００８】
本発明の一実施形態は、上述の技術的問題を解決するために使用される複数のソリューションを提供する。無線物理層プロトコルデータユニット（ＰＰＤＵ）送信方法は、送信装置により無線物理層プロトコルデータユニット（ＰＰＤＵ）を取得することであり、ＰＰＤＵは、高効率−信号フィールドＡ（ＨＥ−ＳＩＧ−Ａ）及び高効率−信号フィールドＢ（ＨＥ−ＳＩＧ−Ｂ）を含み、ＨＥ−ＳＩＧ−Ａは、ＨＥ−ＳＩＧ−Ｂ内のＯＦＤＭシンボルの数量を指し示すために使用されるフィールドを含み、また、ＨＥ−ＳＩＧ−Ｂフィールド伝送に、異なるＭＣＳが使用されるときに、ＤＣＭが使用されるのかで、又は異なる帯域幅が使用されるときに、ＨＥ−ＳＩＧ−Ｂ内のＯＦＤＭシンボルの数量を指し示すために使用されるフィールド内の同じ値がＯＦＤＭシンボルの異なる数量を指し示す、取得することと、ＰＰＤＵを送信することであり、受信装置が、異なるＭＣＳ、又はＤＣＭが使用されるか、又は異なる帯域幅を参照して、及びＨＥ−ＳＩＧ−Ｂ内のＯＦＤＭシンボルの数量を指し示すために使用されるフィールドの値に基づいて、ＨＥ−ＳＩＧ−Ｂ内のＯＦＤＭシンボルの数量を決定するようにする、送信することとを含む。
【国際調査報告】
2020537434.tif 000014
2020537434.tif 000015
2020537434.tif 000016
2020537434.tif 000017